(57)【要約】【課題】  主信号光に対する監視信号光の伝送方向を切り替えることができる伝送装置及び伝送方法を提供する。【解決手段】  伝送装置は、他の伝送装置に第１伝送路を介し第１主信号光を送信し、他の伝送装置から第２伝送路を介し第２主信号光を受信する伝送装置において、伝送装置の監視制御に関する第１監視信号光を他の伝送装置に送信する送信部と、他の伝送装置の監視制御に関する第２監視信号光を他の伝送装置から受信する受信部と、送信部及び受信部と第１伝送路及び第２伝送路の間の接続状態を、送信部が第１伝送路に接続され、受信部が第２伝送路に接続された第１接続状態、または送信部が第２伝送路に接続され、受信部が第１伝送路に接続された第２接続状態に切り替える光スイッチとを有する。【選択図】図３
2020195052.tif 000002
【特許請求の範囲】
【請求項１】
他の伝送装置に第１伝送路を介し第１主信号光を送信し、前記他の伝送装置から第２伝送路を介し第２主信号光を受信する伝送装置において、
前記伝送装置の監視制御に関する第１監視信号光を前記他の伝送装置に送信する送信部と、
前記他の伝送装置の監視制御に関する第２監視信号光を前記他の伝送装置から受信する受信部と、
前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替える光スイッチとを有することを特徴とする伝送装置。
【請求項２】
前記伝送装置及び前記他の伝送装置の組み合わせに応じた設定情報を取得し、前記設定情報に基づき前記光スイッチに接続状態の切り替えを指示する指示部を有することを特徴とする請求項１に記載の伝送装置。
【請求項３】
前記指示部は、前記伝送装置及び前記他の伝送装置を監視制御する監視制御装置から前記設定情報を取得することを特徴とする請求項２に記載の伝送装置。
【請求項４】
前記第１伝送路から前記光スイッチに入力される前記第２監視信号光を検出する第１検出部と、
前記第２伝送路から前記光スイッチに入力される前記第２監視信号光を検出する第２検出部と、
前記第１検出部及び前記第２検出部の検出結果に基づき前記光スイッチに接続状態の切り替えを指示する指示部とを有することを特徴とする請求項１に記載の伝送装置。
【請求項５】
前記第１伝送路と前記光スイッチの間に接続される第１導波部と、
前記第２伝送路と前記光スイッチの間に接続される第２導波部とを、さらに有し、
前記送信部及び前記受信部は、前記伝送装置に対して着脱自在であり、
前記第１主信号光及び前記第２主信号光は、第１波長帯の帯域をそれぞれ有し、
前記第１導波部は、前記光スイッチから入力された第２波長帯の前記第１監視信号光を前記第１伝送路に導き、前記第１波長帯の前記第２監視信号光を前記第１伝送路から前記光スイッチに導き、
前記第２導波部は、前記光スイッチから入力された前記第１波長帯の前記第１監視信号光を前記第２伝送路に導き、前記第２波長帯の前記第２監視信号光を前記第２伝送路から前記光スイッチに導くことを特徴とする請求項１または４に記載の伝送装置。
【請求項６】
他の伝送装置に第１伝送路を介し第１主信号光を送信し、前記他の伝送装置から第２伝送路を介し第２主信号光を受信する伝送装置において、
前記伝送装置の監視制御に関する第１監視信号光を前記他の伝送装置にそれぞれ送信する第１送信部及び第２送信部と、
前記他の伝送装置の監視制御に関する第２監視信号光を前記他の伝送装置からそれぞれ受信する第１受信部及び第２受信部と、
前記第１伝送路の接続先を前記第１送信部または前記第１受信部に切り替える第１光スイッチと、
前記第２伝送路の接続先を前記第２送信部または前記第２受信部に切り替える第２光スイッチとを有することを特徴とする伝送装置。
【請求項７】
他の伝送装置に第１伝送路を介し第１波長帯の第１主信号光を送信し、前記他の伝送装置から第２伝送路を介し前記第１波長帯の第２主信号光を受信する伝送装置において、
前記伝送装置の監視制御に関する第２波長帯の第１監視信号光を送信する第３送信部と、
前記第１波長帯の前記第１監視信号光を送信する第４送信部と、
前記他の伝送装置の監視制御に関する前記第２波長帯の第２監視信号光を受信する第３受信部と、
前記第１波長帯の前記第２監視信号光を受信する第４受信部と、
前記第３送信部から入力された前記第１監視信号光を前記第１伝送路に導き、前記第２監視信号光を前記第１伝送路から前記第４受信部に導く第３導波部と、
前記第４送信部から入力された前記第１監視信号光を前記第２伝送路に導き、前記第２監視信号光を前記第２伝送路から前記第３受信部に導く第４導波部とを有することを特徴とする伝送装置。
【請求項８】
第１伝送装置が、第１伝送路を介し第２伝送装置に第１主信号光を送信し、前記第２伝送装置から第２伝送路を介し第２主信号光を受信する伝送方法において、
前記第１伝送装置の送信部が、前記第１伝送装置の監視制御に関する第１監視信号光を前記第２伝送装置に送信し、
前記第１伝送装置の受信部が、前記第２伝送装置の監視制御に関する第２監視信号光を前記第２伝送装置から受信し、
前記第１伝送装置の光スイッチが、前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替えることを特徴とする伝送方法。
【請求項９】
第１伝送装置が、第１伝送路を介し第２伝送装置に第１主信号光を送信し、前記第２伝送装置から第２伝送路を介し第２主信号光を受信する伝送方法において、
前記第１伝送装置の第１送信部及び第２送信部が、前記第１伝送装置の監視制御に関する第１監視信号光を前記第２伝送装置にそれぞれ送信し、
前記第１伝送装置の第１受信部及び第２受信部が、前記第２伝送装置の監視制御に関する第２監視信号光を前記第２伝送装置からそれぞれ受信し、
前記第１伝送装置の第１光スイッチが、前記第１伝送路の接続先を前記第１送信部または前記第１受信部に切り替え、
前記第１伝送装置の第２光スイッチが、前記第２伝送路の接続先を前記第２送信部または前記第２受信部に切り替えることを特徴とする伝送方法。
【請求項１０】
第１伝送装置から第１伝送路を介し第２伝送装置に第１波長帯の第１主信号光を送信し、前記第２伝送装置から第２伝送路を介し前記第１伝送装置に前記第１波長帯の第２主信号光を受信する伝送方法において、
前記第１伝送装置の第３送信部が、前記第１伝送装置の監視制御に関する第２波長帯の第１監視信号光を送信し、
前記第１伝送装置の第４送信部が、前記第１波長帯の前記第１監視信号光を送信し、
前記第１伝送装置の第３受信部が、前記第２伝送装置の監視制御に関する前記第２波長帯の第２監視信号光を受信し、
前記第１伝送装置の第４受信部が、前記第１波長帯の前記第２監視信号光を受信し、
前記第１伝送装置の第３導波部が、前記第３送信部から入力された前記第１監視信号光を前記第１伝送路に導き、前記第２監視信号光を前記第１伝送路から前記第４受信部に導き、
前記第１伝送装置の第４導波部が、前記第４送信部から入力された前記第１監視信号光を前記第２伝送路に導き、前記第２監視信号光を前記第２伝送路から前記第３受信部に導くことを特徴とする伝送方法。
【発明の詳細な説明】
【技術分野】
【０００１】
本件は、伝送装置及び伝送方法に関する。
【背景技術】
【０００２】
例えば、複数の波長光が波長多重された主信号光に伝送システムの監視信号光を合波して伝送する伝送装置がある（例えば特許文献１参照）。
【先行技術文献】
【特許文献】
【０００３】
【特許文献１】特開２００９−１５９２９０号公報
【発明の概要】
【発明が解決しようとする課題】
【０００４】
監視信号光の送信パワーが高くなると、伝送路中で主信号光と監視信号光に相互位相変調などの非線形光学効果が生じることにより主信号光の伝送品質が低下するおそれがある。これに対し、伝送路において監視信号光の伝送方向と主信号光の伝送方向を互いに反対方向にすれば、相互位相変調の相互作用長さが、各伝送方向が同一である場合より短縮されるため、非線形光学効果を抑制することができる。
【０００５】
しかし、監視信号光及び主信号光の各伝送方向が互いに反対方向である伝送装置（以下、「逆方向伝送装置」と表記）と、監視信号光及び主信号光の各伝送方向が同一方向である伝送装置（以下、「順方向伝送装置」と表記）とがネットワーク内に混在する場合、逆方向伝送装置と順方向伝送装置は監視信号光を互いに送受信することができない。このため、ネットワーク内で互いに接続可能な伝送装置の組み合わせが逆方向伝送装置同士または順方向伝送装置同士に限定されてしまう。
【０００６】
そこで本件は、主信号光に対する監視信号光の伝送方向を切り替えることができる伝送装置及び伝送方法を提供することを目的とする。
【課題を解決するための手段】
【０００７】
１つの態様では、伝送装置は、他の伝送装置に第１伝送路を介し第１主信号光を送信し、前記他の伝送装置から第２伝送路を介し第２主信号光を受信する伝送装置において、前記伝送装置の監視制御に関する第１監視信号光を前記他の伝送装置に送信する送信部と、前記他の伝送装置の監視制御に関する第２監視信号光を前記他の伝送装置から受信する受信部と、前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替える光スイッチとを有する。
【０００８】
１つの態様では、伝送装置は、他の伝送装置に第１伝送路を介し第１主信号光を送信し、前記他の伝送装置から第２伝送路を介し第２主信号光を受信する伝送装置において、前記伝送装置の監視制御に関する第１監視信号光を前記他の伝送装置にそれぞれ送信する第１送信部及び第２送信部と、前記他の伝送装置の監視制御に関する第２監視信号光を前記他の伝送装置からそれぞれ受信する第１受信部及び第２受信部と、前記第１伝送路の接続先を前記第１送信部または前記第１受信部に切り替える第１光スイッチと、前記第２伝送路の接続先を前記第２送信部または前記第２受信部に切り替える第２光スイッチとを有する。
【０００９】
１つの態様では、伝送装置は、他の伝送装置に第１伝送路を介し第１波長帯の第１主信号光を送信し、前記他の伝送装置から第２伝送路を介し前記第１波長帯の第２主信号光を受信する伝送装置において、前記伝送装置の監視制御に関する第２波長帯の第１監視信号光を送信する第３送信部と、前記第１波長帯の前記第１監視信号光を送信する第４送信部と、前記他の伝送装置の監視制御に関する前記第２波長帯の第２監視信号光を受信する第３受信部と、前記第１波長帯の前記第２監視信号光を受信する第４受信部と、前記第３送信部から入力された前記第１監視信号光を前記第１伝送路に導き、前記第２監視信号光を前記第１伝送路から前記第４受信部に導く第３導波部と、前記第４送信部から入力された前記第１監視信号光を前記第２伝送路に導き、前記第２監視信号光を前記第２伝送路から前記第３受信部に導く第４導波部とを有する。
【００１０】
１つの態様では、伝送方法は、第１伝送装置が、第１伝送路を介し第２伝送装置に第１主信号光を送信し、前記第２伝送装置から第２伝送路を介し第２主信号光を受信する伝送方法において、前記第１伝送装置の送信部が、前記第１伝送装置の監視制御に関する第１監視信号光を前記第２伝送装置に送信し、前記第１伝送装置の受信部が、前記第２伝送装置の監視制御に関する第２監視信号光を前記第２伝送装置から受信し、前記第１伝送装置の光スイッチが、前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替える方法である。
【００１１】
１つの態様では、伝送方法は、第１伝送装置が、第１伝送路を介し第２伝送装置に第１主信号光を送信し、前記第２伝送装置から第２伝送路を介し第２主信号光を受信する伝送方法において、前記第１伝送装置の第１送信部及び第２送信部が、前記第１伝送装置の監視制御に関する第１監視信号光を前記第２伝送装置にそれぞれ送信し、前記第１伝送装置の第１受信部及び第２受信部が、前記第２伝送装置の監視制御に関する第２監視信号光を前記第２伝送装置からそれぞれ受信し、前記第１伝送装置の第１光スイッチが、前記第１伝送路の接続先を前記第１送信部または前記第１受信部に切り替え、前記第１伝送装置の第２光スイッチが、前記第２伝送路の接続先を前記第２送信部または前記第２受信部に切り替える方法である。
【００１２】
１つの態様では、伝送方法は、第１伝送装置から第１伝送路を介し第２伝送装置に第１波長帯の第１主信号光を送信し、前記第２伝送装置から第２伝送路を介し前記第１伝送装置に前記第１波長帯の第２主信号光を受信する伝送方法において、前記第１伝送装置の第３送信部が、前記第１伝送装置の監視制御に関する第２波長帯の第１監視信号光を送信し、前記第１伝送装置の第４送信部が、前記第１波長帯の前記第１監視信号光を送信し、前記第１伝送装置の第３受信部が、前記第２伝送装置の監視制御に関する前記第２波長帯の第２監視信号光を受信し、前記第１伝送装置の第４受信部が、前記第１波長帯の前記第２監視信号光を受信し、前記第１伝送装置の第３導波部が、前記第３送信部から入力された前記第１監視信号光を前記第１伝送路に導き、前記第２監視信号光を前記第１伝送路から前記第４受信部に導き、前記第１伝送装置の第４導波部が、前記第４送信部から入力された前記第１監視信号光を前記第２伝送路に導き、前記第２監視信号光を前記第２伝送路から前記第３受信部に導く方法である。
【発明の効果】
【００１３】
１つの側面として、主信号光に対する監視信号光の伝送方向を切り替えることができる。
【図面の簡単な説明】
【００１４】
【図１】順方向伝送装置同士が接続された伝送システムの一例を示す構成図である。
【図２】逆方向伝送装置同士が接続された伝送システムの一例を示す構成図である。
【図３】第１実施例の両方向伝送装置と順方向伝送装置が接続された伝送システムの一例を示す構成図である。
【図４】第１実施例の両方向伝送装置と逆方向伝送装置が接続された伝送システムの一例を示す構成図である。
【図５】第１実施例の両方向伝送装置の光スイッチの設定処理の一例を示すフローチャートである。
【図６】第２実施例の両方向伝送装置と順方向伝送装置が接続された伝送システムの一例を示す構成図である。
【図７】第２実施例の両方向伝送装置と逆方向伝送装置が接続された伝送システムの一例を示す構成図である。
【図８】第２実施例の両方向伝送装置の光スイッチの設定処理の一例を示すフローチャートである。
【図９】第３実施例の両方向伝送装置と順方向伝送装置が接続された伝送システムの一例を示す構成図である。
【図１０】第３実施例の両方向伝送装置と逆方向伝送装置が接続された伝送システムの一例を示す構成図である。
【図１１】第３実施例の両方向伝送装置の光スイッチの設定処理の一例を示すフローチャートである。
【図１２】第４実施例の両方向伝送装置と順方向伝送装置が接続された伝送システムの一例を示す構成図である。
【図１３】第４実施例の両方向伝送装置と逆方向伝送装置が接続された伝送システムの一例を示す構成図である。
【図１４】第５実施例の両方向伝送装置と順方向伝送装置が接続された伝送システムの一例を示す構成図である。
【図１５】第５実施例の両方向伝送装置と逆方向伝送装置が接続された伝送システムの一例を示す構成図である。
【図１６】第５実施例の両方向伝送装置のＳＦＰ（Small Form-factor Pluggable）の選択処理の一例を示すフローチャートである。
【発明を実施するための形態】
【００１５】
図１は、順方向伝送装置２ａ，２ａ’同士が接続された伝送システムの一例を示す構成図である。伝送システムは、光ファイバなどの伝送路９０，９１を介して接続された一組の順方向伝送装置２ａ，２ａ’を有する。なお、順方向伝送装置２ａと順方向伝送装置２ａ’は同一の構成を有する。
【００１６】
順方向伝送装置２ａ，２ａ’は、例えばＲＯＡＤＭ（Reconfigurable Optical Add-and-Drop Multiplexer）などの波長多重伝送装置である。順方向伝送装置２ａ，２ａ’は、波長が相違する複数の波長光を波長多重した主信号光Ｓ２ｍ，Ｓ１ｍをそれぞれ伝送する。主信号光Ｓｍには、イーサネット（登録商標、以下同様）フレームなどのユーザデータを含む複数の波長光が波長多重されている。
【００１７】
順方向伝送装置２ａは、主信号光Ｓ２ｍと、順方向伝送装置２ａの監視制御に関する監視信号光Ｓ２ｃとを、伝送路９０を介して他方の順方向伝送装置２ａ’に送信し、他方の順方向伝送装置２ａ’は主信号光Ｓ２ｍ及び監視信号光Ｓ２ｃを受信する。このとき、順方向伝送装置２ａは、監視信号光Ｓ２ｃを主信号光Ｓ２ｍに合波して伝送路９０に出力する。
【００１８】
このように、主信号光Ｓ２ｍ及び監視信号光Ｓ２ｃは伝送路９０を同一方向に伝送する。符号Ｒ１ａは、順方向伝送装置２ａから順方向伝送装置２ａ’に伝送される主信号光Ｓ２ｍの経路を示し、符号Ｒ１ｂは、順方向伝送装置２ａから順方向伝送装置２ａ’に伝送される監視信号光Ｓ２ｃの経路を示す。
【００１９】
順方向伝送装置２ａ’は、主信号光Ｓ１ｍと、順方向伝送装置２ａ’の監視制御に関する監視信号光Ｓ１ｃとを、伝送路９１を介して他方の順方向伝送装置２ａに送信し、他方の順方向伝送装置２ａは主信号光Ｓ１ｍ及び監視信号光Ｓ１ｃを受信する。このとき、順方向伝送装置２ａ’は、監視信号光Ｓ１ｃを主信号光Ｓ１ｍに合波して伝送路９１に出力する。
【００２０】
このように、主信号光Ｓ１ｍ及び監視信号光Ｓ１ｃは伝送路９１を同一方向に伝送する。符号Ｒ１ｄは、順方向伝送装置２ａ’から順方向伝送装置２ａに伝送される主信号光Ｓ１ｍの経路を示し、符号Ｒ１ｃは、順方向伝送装置２ａ’から順方向伝送装置２ａに伝送される監視信号光Ｓ１ｃの経路を示す。
【００２１】
監視信号光Ｓ１ｃ，Ｓ２ｃは、例えばＯＳＣ（Optical Supervisory Channel）光であり、光ファイバの接続状態などの監視制御情報を含む。監視信号光Ｓ１ｃ，Ｓ２ｃは、主信号光Ｓ１ｍ，Ｓ２ｍに含まれる波長光の波長帯とは所定の波長帯域分だけそれぞれ離れた波長を有する。順方向伝送装置２ａ，２ａ’は、監視制御情報に基づいて、主信号光Ｓ１ｍ，Ｓ２ｍの伝送に関する各種の制御を行う。以下に順方向伝送装置２ａ，２ａ’の構成を述べる。
【００２２】
順方向伝送装置２ａ，２ａ’は、それぞれ、ＦＰＧＡ２０と、メモリ２６と、ＳＦＰ２５と、光アンプ２１，２２と、フィルタ２３，２４とを有する。なお、順方向伝送装置２ａ，２ａ’は、ＦＰＧＡ２０に代えて、ＡＳＩＣ（Application Specified Integrated Circuit）などの他の回路を備えてもよい。
【００２３】
光アンプ２２は、隣接ノードから入力された主信号光Ｓ１ｍ，Ｓ２ｍを増幅する。ＦＰＧＡ２０は光アンプ２２の利得を制御する。主信号光Ｓ１ｍ，Ｓ２ｍは光アンプ２２からフィルタ２４に入力される。
【００２４】
ＳＦＰ２５は、順方向伝送装置２ａ，２ａ’に着脱自在な光モジュールである。ＳＦＰ２５は、監視信号光Ｓ１ｃ，Ｓ２ｃを送信する送信部（Ｔｘ）２５０と、監視信号光Ｓ１ｃ，Ｓ２ｃを受信する受信部（Ｒｘ）２５１とを有する。
【００２５】
送信部２５０は、監視制御情報に基づく強度変調により監視信号光Ｓ１ｃ，Ｓ２ｃを生成する。送信部２５０は、監視信号光Ｓ１ｃ，Ｓ２ｃを出力するレーザダイオード及び変調回路などを備える。監視信号光Ｓ１ｃ，Ｓ２ｃは、送信部２５０からフィルタ２４に入力される。
【００２６】
順方向伝送装置２ａ’のフィルタ２４は監視信号光Ｓ１ｃを主信号光Ｓ１ｍに合波し、順方向伝送装置２ａのフィルタ２４は監視信号光Ｓ２ｃを主信号光Ｓ２ｍに合波する。フィルタ２４しては、例えば波長多重機能を備える光フィルタが挙げられるが、これに限定されない。監視信号光Ｓ１ｃ及び主信号光Ｓ１ｍの合波光はフィルタ２４から伝送路９１に出力され、監視信号光Ｓ２ｃ及び主信号光Ｓ２ｍの合波光はフィルタ２４から伝送路９０に出力される。
【００２７】
監視信号光Ｓ１ｃ及び主信号光Ｓ１ｍの合波光は、伝送路９１から順方向伝送装置２ａのフィルタ２３に入力される。フィルタ２３は、伝送路９１から入力された合波光から主信号光Ｓ１ｍ及び監視信号光Ｓ１ｃを分波する。
【００２８】
また、監視信号光Ｓ２ｃ及び主信号光Ｓ２ｍの合波光は、伝送路９０から順方向伝送装置２ａ’のフィルタ２３に入力される。フィルタ２３は、伝送路９１から入力された合波光から主信号光Ｓ２ｍ及び監視信号光Ｓ２ｃを分波する。フィルタ２４としては、例えば波長分離機能を備える光フィルタが挙げられるが、これに限定されない。
【００２９】
主信号光Ｓ１ｍ，Ｓ２ｍはフィルタ２４から光アンプ２１にそれぞれ入力される。光アンプ２１は主信号光Ｓ１ｍ，Ｓ２ｍを増幅する。ＦＰＧＡ２０は光アンプ２１の利得を制御する。主信号光Ｓ１ｍ，Ｓ２ｍは光アンプ２１から隣接ノードにそれぞれ出力される。
【００３０】
ＳＦＰ２５の受信部２５１は、監視信号光Ｓ１ｃ，Ｓ２ｃを受信して電気的な監視信号に変換してＦＰＧＡ２０に出力する。受信部２５１は、監視信号光Ｓ１ｃ，Ｓ２ｃを監視信号に変換するためのＰＤ（Photo Diode）などを有する。
【００３１】
ＦＰＧＡ２０は、監視信号のペイロードデータから監視制御情報を取得する。ＦＰＧＡ２０は、例えば監視制御情報に基づき光アンプ２１，２２の利得を制御する。このとき、ＦＰＧＡ２０は、例えばメモリ２６に格納された各種のデータベースを用いる。
【００３２】
監視信号光Ｓ１ｃ，Ｓ２ｃの送信パワーが高くなると、伝送路９１，９０中で主信号光Ｓ１ｍ，Ｓ２ｍと監視信号光Ｓ１ｃ，Ｓ２ｃに相互位相変調などの非線形光学効果が生じることにより主信号光Ｓ１ｍ，Ｓ２ｍの伝送品質が低下するおそれがある。これに対し、伝送路９１，９０において監視信号光Ｓ１ｃ，Ｓ２ｃの伝送方向と主信号光Ｓ１ｍ，Ｓ２ｍの伝送方向を互いに反対方向にすれば、相互位相変調の相互作用長さが、本例のように各伝送方向が同一である場合より短縮されるため、非線形光学効果を抑制することができる。
【００３３】
図２は、逆方向伝送装置２ｂ，２ｂ’同士が接続された伝送システムの一例を示す構成図である。図２において、図１と共通する構成には同一の符号を付し、その説明は省略する。
【００３４】
伝送システムは、光ファイバなどの伝送路９０，９１を介して接続された一組の逆方向伝送装置２ｂ，２ｂ’を有する。なお、逆方向伝送装置２ｂと逆方向伝送装置２ｂ’は同一の構成を有する。
【００３５】
逆方向伝送装置２ｂ，２ｂ’は、例えばＲＯＡＤＭなどの波長多重伝送装置である逆方向伝送装置２ｂ，２ｂ’は、波長が相違する複数の波長光を波長多重した主信号光Ｓ２ｍ，Ｓ１ｍをそれぞれ伝送する。
【００３６】
逆方向伝送装置２ｂは、伝送路９０を介して主信号光Ｓ２ｍを他方の逆方向伝送装置２ｂ’に送信し、伝送路９１を介して監視信号光Ｓ２ｃを他方の逆方向伝送装置２ｂ’に送信する。逆方向伝送装置２ｂ’は主信号光Ｓ２ｍ及び監視信号光Ｓ２ｃを受信する。
【００３７】
また、逆方向伝送装置２ｂ’は、伝送路９１を介して主信号光Ｓ１ｍを他方の逆方向伝送装置２ｂに送信し、伝送路９０を介して監視信号光Ｓ１ｃを他方の逆方向伝送装置２ｂに送信する。他方の逆方向伝送装置２ｂは主信号光Ｓ１ｍ及び監視信号光Ｓ１ｃを受信する。
【００３８】
このように、主信号光Ｓ２ｍ及び監視信号光Ｓ１ｃは伝送路９０を互いに反対方向に伝送し、主信号光Ｓ１ｍ及び監視信号光Ｓ２ｃは伝送路９１を互いに反対方向に伝送する。符号Ｒ２ａは、逆方向伝送装置２ｂから逆方向伝送装置２ｂ’に伝送される主信号光Ｓ２ｍの経路を示し、符号Ｒ２ｂは、逆方向伝送装置２ｂ’から逆方向伝送装置２ｂに伝送される監視信号光Ｓ１ｃの経路を示す。また、符号Ｒ２ｃは、逆方向伝送装置２ｂから逆方向伝送装置２ｂ’に伝送される監視信号光Ｓ２ｃの経路を示し、符号Ｒ２ｄは、逆方向伝送装置２ｂ’から逆方向伝送装置２ｂに伝送される主信号光Ｓ１ｍの経路を示す。
【００３９】
逆方向伝送装置２ｂ，２ｂ’は、それぞれ、上記のフィルタ２３，２４に代えてフィルタ２３ａ，２４ａを有する。逆方向伝送装置２ｂのフィルタ２３ａは、送信部２５０から入力された監視信号光Ｓ２ｃを伝送路９１に導き、逆方向伝送装置２ｂ’のフィルタ２４ａは、伝送路９１から入力された監視信号光Ｓ２ｃを受信部２５１に導く。
【００４０】
また、逆方向伝送装置２ｂ’のフィルタ２３ａは、送信部２５０から入力された監視信号光Ｓ１ｃを伝送路９０に導き、逆方向伝送装置２ｂのフィルタ２４ａは、伝送路９０から入力された監視信号光Ｓ１ｃを受信部２５１に導く。フィルタ２３ａ，２４ａとしては、例えば波長分離機能を備える光フィルタが挙げられるが、これに限定されない。
【００４１】
このように、逆方向伝送装置２ｂ，２ｂ’同士が接続された伝送システムでは、主信号光Ｓ２ｍ及び監視信号光Ｓ１ｃが伝送路９０を互いに反対方向に伝送し、主信号光Ｓ１ｍ及び監視信号光Ｓ２ｃが伝送路９１を互いに反対方向に伝送する。このため、相互位相変調の相互作用長さが、順方向伝送装置２ａ，２ａ’ が接続された伝送システムの場合より短縮されるため、非線形光学効果を抑制することができる。
【００４２】
しかし、順方向伝送装置２ａ，２ａ’及び逆方向伝送装置２ｂ，２ｂ’がネットワーク内に混在する場合、順方向伝送装置２ａ，２ａ’及び逆方向伝送装置２ｂ，２ｂ’は監視信号光Ｓ１ｃ，Ｓ２ｃを互いに送受信することができない。このため、ネットワーク内で互いに接続可能な伝送装置の組み合わせが逆方向伝送装置２ｂ，２ｂ’同士または順方向伝送装置２ａ，２ａ’同士に限定されてしまう。
【００４３】
そこで、実施例の伝送装置は、ＳＦＰと伝送路９０，９１の間の光スイッチの切り替えまたはＳＦＰの選択により監視信号光Ｓ１ｃ，Ｓ２ｃが伝送される伝送路９０，９１を切り替える。これにより、各伝送路９０，９１に伝送される主信号光Ｓ１ｍ，Ｓ２ｍに対する監視信号光Ｓ１ｃ，Ｓ２ｃの伝送方向の切り替えが可能となる。
【００４４】
したがって、実施例の伝送装置は、順方向伝送装置２ａ，２ａ’及び逆方向伝送装置２ｂ，２ｂ’の何れと接続された場合でも、監視信号光Ｓ１ｃ，Ｓ２ｃを互いに送受信することができる。なお、以下の説明では、実施例の伝送装置を「両方向伝送装置」と表記する。
【００４５】
（第１実施例）
図３は、第１実施例の両方向伝送装置１と順方向伝送装置２ａが接続された伝送システムの一例を示す構成図である。図３において、図１と共通する構成には同一の符号を付し、その説明は省略する。なお、両方向伝送装置１は第１伝送装置の一例であり、順方向伝送装置２ａは第２伝送装置の一例である。
【００４６】
伝送システムは、伝送路９０，９１を介して接続された順方向伝送装置２ａ及び両方向伝送装置１を有する。順方向伝送装置２ａの構成は、上述したとおりである。
【００４７】
両方向伝送装置１は、ＳＦＰ１５に接続された光スイッチ１７により監視信号光Ｓ１ｃ，Ｓ２ｃの伝送路９０，９１を切り替えるため、順方向伝送装置２ａ，２ａ’及び逆方向伝送装置２ｂ，２ｂ’の何れとでも監視信号光Ｓ１ｃ，Ｓ２ｃを互いに送受信することができる。ここで、監視信号光Ｓ１ｃには、両方向伝送装置１の監視制御に関する監視制御情報が含まれる。
【００４８】
図３には、順方向伝送装置２ａと接続された場合の両方向伝送装置１の動作が示されている。両方向伝送装置１は、伝送路９１を介して主信号光Ｓ１ｍ及び監視信号光Ｓ１ｃを順方向伝送装置２ａに送信する。順方向伝送装置２ａは主信号光Ｓ１ｍ及び監視信号光Ｓ１ｃを受信する。
【００４９】
また、順方向伝送装置２ａは、伝送路９０を介して主信号光Ｓ２ｍ及び監視信号光Ｓ２ｃを両方向伝送装置１に送信する。両方向伝送装置１は主信号光Ｓ２ｍ及び監視信号光Ｓ２ｃを受信する。なお、主信号光Ｓ１ｍは第１主信号光の一例であり、主信号光Ｓ２ｍは第２主信号光の一例である。監視信号光Ｓ１ｃは第１監視信号光の一例であり、監視信号光Ｓ２ｃは第２監視信号光の一例である。また、伝送路９１は第１伝送路の一例であり、伝送路９０は第２伝送路の一例である。
【００５０】
このように、主信号光Ｓ２ｍ及び監視信号光Ｓ２ｃは伝送路９０を同一方向に伝送し、主信号光Ｓ１ｍと監視信号光Ｓ１ｃは伝送路９１を同一方向に伝送する。符号Ｒ３ａは、順方向伝送装置２ａから両方向伝送装置１に伝送される主信号光Ｓ２ｍの経路を示し、符号Ｒ３ｂは、順方向伝送装置２ａから両方向伝送装置１に伝送される監視信号光Ｓ２ｃの経路を示す。
【００５１】
また、符号Ｒ３ｄは、両方向伝送装置１から順方向伝送装置２ａに伝送される主信号光Ｓ１ｍの経路を示し、符号Ｒ３ｃは、両方向伝送装置１から順方向伝送装置２ａに伝送される監視信号光Ｓ１ｃの経路を示す。以下に両方向伝送装置１の構成を述べる。
【００５２】
両方向伝送装置１は、ＦＰＧＡ１０と、メモリ１６と、ＳＦＰ１５と、光アンプ１１，１２と、フィルタ１３，１４と、光スイッチ１７とを有する。
【００５３】
光アンプ１２は、隣接ノードから入力された主信号光Ｓ１ｍを増幅する。ＦＰＧＡ１０は光アンプ１２の利得を制御する。主信号光Ｓ１ｍは光アンプ１２からフィルタ１４に入力される。
【００５４】
ＳＦＰ１５は、両方向伝送装置１に着脱自在な光モジュールである。ＳＦＰ１５は、監視信号光Ｓ１ｃを順方向伝送装置２ａに送信する送信部（Ｔｘ）１５０と、監視信号光Ｓ２ｃを順方向伝送装置２ａから受信する受信部（Ｒｘ）１５１とを有する。
【００５５】
送信部１５０は、ＦＰＧＡ１０から入力された監視制御情報に基づく強度変調により監視信号光Ｓ１ｃを生成する。送信部１５０は、監視信号光Ｓ１ｃを出力するレーザダイオード及び変調回路などを備える。監視信号光Ｓ１ｃは、送信部１５０から光スイッチ１７に入力される。
【００５６】
光スイッチ１７は、例えば、光が入出力される２×２のポート＃１〜＃４を有する。ポート＃１はフィルタ１３と光学的に接続され（例えば光ファイバによる接続など。以下の記載も同様の意味とする。）、ポート＃２はフィルタ１４に光学的に接続されている。また、ポート＃３は受信部１５１に光学的に接続され、ポート＃４は送信部１５０に光学的に接続されている。
【００５７】
光スイッチ１７は、ポート＃１，＃２とポート＃３，＃４の間の接続状態を、ＦＰＧＡ１０からの切り替え信号に従ってストレート状態またはクロス状態に切り替える。ＦＰＧＡ１０は、伝送システムを監視制御するネットワーク（ＮＷ）監視制御装置９からのスイッチ設定に応じて光スイッチ１７に切り替え信号を出力する。
【００５８】
ネットワーク監視制御装置９は、不図示の監視用ネットワークを介して、例えば順方向伝送装置２ａのメモリ２６及び両方向伝送装置１のメモリ１６から各装置の識別情報を取得する。ネットワーク監視制御装置９は、識別情報に基づき両方向伝送装置１と順方向伝送装置２ａの接続を検出した場合、両方向伝送装置１のＦＰＧＡ１０に「順方向モード」の伝送設定を行う。「順方向モード」の伝送設定の場合、ＦＰＧＡ１０は、ストレート状態を示す切り替え信号を光スイッチ１７に出力する。
【００５９】
このため、光スイッチ１７は接続状態をストレート状態に切り替える。ストレート状態の場合、ポート＃１とポート＃３が互いに接続され、ポート＃２とポート＃４が互いに接続される。
【００６０】
これにより、伝送路９０と受信部１５１がフィルタ１３を介し互いに接続され、伝送路９１と送信部１５０がフィルタ１４を介し互いに接続される。なお、ストレート状態は光スイッチ１７の第１接続状態の一例である。
【００６１】
送信部１５０が送信した監視信号光Ｓ１ｃは、光スイッチ１７のポート＃４，＃２を経由してフィルタ１４に入力される。
【００６２】
フィルタ１４は、光スイッチ１７から入力された監視信号光Ｓ１ｃを伝送路９１に導き、主信号光Ｓ１ｍを光アンプ１２から伝送路９１に導く。このとき、フィルタ１４は監視信号光Ｓ１ｃを主信号光Ｓ１ｍに合波する。フィルタ１４としては、例えば波長多重分離機能を備える光フィルタが挙げられるが、これに限定されない。監視信号光Ｓ１ｃ及び主信号光Ｓ１ｍの合波光はフィルタ１４から伝送路９１に出力される。
【００６３】
監視信号光Ｓ１ｃ及び主信号光Ｓ１ｍの合波光は、伝送路９１から順方向伝送装置２ａのフィルタ２３に入力される。フィルタ２３は、伝送路９１から入力された合波光から主信号光Ｓ１ｍ及び監視信号光Ｓ１ｃを分波する。これにより、順方向伝送装置２ａは主信号光Ｓ１ｍ及び監視信号光Ｓ１ｃを受信する。
【００６４】
また、順方向伝送装置２ａは、監視信号光Ｓ２ｃ及び主信号光Ｓ２ｍの合波光を伝送路９０に出力する。合波光は、伝送路９０から両方向伝送装置１のフィルタ１３に入力される。
【００６５】
フィルタ１３は、伝送路９１から入力された合波光から主信号光Ｓ２ｍ及び監視信号光Ｓ２ｃを分波する。これにより、フィルタ１３は、監視信号光Ｓ２ｃを伝送路９０から光スイッチ１７に導き、主信号光Ｓ２ｍを伝送路９０から光アンプ１１に導く。フィルタ１３としては、例えば波長多重分離機能を備える光フィルタが挙げられるが、これに限定されない。
【００６６】
主信号光Ｓ２ｍはフィルタ１３から光アンプ１１に入力される。光アンプ１１は主信号光Ｓ２ｍを増幅する。ＦＰＧＡ１０は光アンプ１１の利得を制御する。主信号光Ｓ２ｍは光アンプ１１から隣接ノードに出力される。
【００６７】
また、監視信号光Ｓ２ｃは、フィルタ１３から光スイッチ１７のポート＃１，＃３を経由して受信部１５１に入力される。これにより、受信部１５１は順方向伝送装置２ａから監視信号光Ｓ２ｃを受信する。
【００６８】
受信部１５１は、監視信号光Ｓ２ｃを受信して電気的な監視信号に変換してＦＰＧＡ１０に出力する。受信部１５１は、監視信号光Ｓ２ｃを監視信号に変換するためのＰＤなどを有する。
【００６９】
ＦＰＧＡ１０は、監視信号のペイロードデータから監視制御情報を取得する。ＦＰＧＡ１０は、例えば監視制御情報に基づき光アンプ１１，１２の利得を制御する。このとき、ＦＰＧＡ１０は、例えばメモリ１６に格納された各種のデータベースを用いる。
【００７０】
このように、両方向伝送装置１は、光スイッチ１７の接続状態がストレート状態であるとき、監視信号光Ｓ１ｃを、伝送路９１を介し送信し、監視信号光Ｓ２ｃを、伝送路９０を介し受信することができる。
【００７１】
このため、両方向伝送装置１は、順方向伝送装置２ａと主信号光Ｓ１ｍ，Ｓ２ｍ及び監視信号光Ｓ１ｃ，Ｓ２ｃを送受信することができる。このとき、伝送路９１における主信号光Ｓ１ｍと監視信号光Ｓ１ｃの伝送方向は同一であり、伝送路９０における主信号光Ｓ２ｍと監視信号光Ｓ２ｃの伝送方向は同一である。
【００７２】
次に逆方向伝送装置２ｂと両方向伝送装置１が接続された伝送システムについて説明する。
【００７３】
図４は、第１実施例の両方向伝送装置１と逆方向伝送装置２ｂが接続された伝送システムの一例を示す構成図である。図４において、図２及び図３と共通する構成には同一の符号を付し、その説明は省略する。なお、逆方向伝送装置２ｂは第２伝送装置の一例である。
【００７４】
伝送システムは、伝送路９０，９１を介して接続された逆方向伝送装置２ｂ及び両方向伝送装置１を有する。逆方向伝送装置２ｂの構成は、上述したとおりである。
【００７５】
図４には、逆方向伝送装置２ｂと接続された場合の両方向伝送装置１の動作が示されている。両方向伝送装置１は、伝送路９１を介して主信号光Ｓ１ｍを逆方向伝送装置２ｂに送信し、伝送路９０を介して監視信号光Ｓ１ｃを逆方向伝送装置２ｂに送信する。逆方向伝送装置２ｂは主信号光Ｓ１ｍ及び監視信号光Ｓ１ｃを受信する。
【００７６】
また、逆方向伝送装置２ｂは、伝送路９０を介して主信号光Ｓ２ｍを両方向伝送装置１に送信し、伝送路９１を介して監視信号光Ｓ２ｃを両方向伝送装置１に送信する。両方向伝送装置１は主信号光Ｓ２ｍ及び監視信号光Ｓ２ｃを受信する。
【００７７】
このように、主信号光Ｓ２ｍ及び監視信号光Ｓ１ｃは伝送路９０を互いに反対方向に伝送し、主信号光Ｓ１ｍと監視信号光Ｓ２ｃは伝送路９１を互いに反対方向に伝送する。符号Ｒ４ａは、逆方向伝送装置２ｂから両方向伝送装置１に伝送される主信号光Ｓ２ｍの経路を示し、符号Ｒ４ｄは、両方向伝送装置１から逆方向伝送装置２ｂに伝送される主信号光Ｓ１ｍの経路を示す。符号Ｒ４ｃは、逆方向伝送装置２ｂから両方向伝送装置１に伝送される監視信号光Ｓ２ｃの経路を示し、符号Ｒ４ｂは、両方向伝送装置１から逆方向伝送装置２ｂに伝送される監視信号光Ｓ１ｃの経路を示す。
【００７８】
ネットワーク監視制御装置９は、不図示の監視用ネットワークを介して、例えば逆方向伝送装置２ｂのメモリ２６及び両方向伝送装置１のメモリ１６から各装置の識別情報を取得する。ネットワーク監視制御装置９は、識別情報に基づき両方向伝送装置１と逆方向伝送装置２ｂの接続を検出した場合、両方向伝送装置１のＦＰＧＡ１０に「逆方向モード」の伝送設定を行う。「逆方向モード」の伝送設定の場合、ＦＰＧＡ１０は、クロス状態を示す切り替え信号を光スイッチ１７に出力する。
【００７９】
このため、光スイッチ１７は接続状態をクロス状態に切り替える。クロス状態の場合、ポート＃１とポート＃４が互いに接続され、ポート＃２とポート＃３が互いに接続される。
【００８０】
これにより、伝送路９１と受信部１５１がフィルタ１４を介し互いに接続され、伝送路９０と送信部１５０がフィルタ１３を介し互いに接続される。なお、クロス状態は光スイッチ１７の第２接続状態の一例である。
【００８１】
送信部１５０が送信した監視信号光Ｓ１ｃは、光スイッチ１７のポート＃４，＃１を経由してフィルタ１３に入力される。フィルタ１３は、光スイッチ１７から入力された監視信号光Ｓ１ｃを伝送路９０に導き、主信号光Ｓ２ｍを伝送路９０から光アンプ１１に導く。
【００８２】
監視信号光Ｓ１ｃは、伝送路９０から逆方向伝送装置２ｂのフィルタ２４ａに入力される。フィルタ２４ａは、伝送路９０から入力された監視信号光Ｓ１ｃを受信部２５１に導く。これにより、逆方向伝送装置２ｂは監視信号光Ｓ１ｃを受信する。
【００８３】
また、逆方向伝送装置２ｂにおいて、送信部２５０が送信した監視信号光Ｓ２ｃはフィルタ２３ａから伝送路９１に出力される。監視信号光Ｓ２ｃは伝送路９１から両方向伝送装置１のフィルタ１４に入力される。
【００８４】
フィルタ１４は、監視信号光Ｓ２ｃを伝送路９１から光スイッチ１７に導く。監視信号光Ｓ２ｃは、光スイッチ１７のポート＃２，＃３を経由して受信部１５１に入力される。これにより、受信部１５１は逆方向伝送装置２ｂから監視信号光Ｓ２ｃを受信する。
【００８５】
このように、両方向伝送装置１は、光スイッチ１７の接続状態がクロス状態であるとき、監視信号光Ｓ１ｃを、伝送路９０を介し送信し、監視信号光Ｓ２ｃを、伝送路９１を介し受信することができる。
【００８６】
このため、両方向伝送装置１は、逆方向伝送装置２ｂと主信号光Ｓ１ｍ，Ｓ２ｍ及び監視信号光Ｓ１ｃ，Ｓ２ｃを送受信することができる。このとき、伝送路９１における主信号光Ｓ１ｍと監視信号光Ｓ２ｃの各伝送方向は反対であり、伝送路９０における主信号光Ｓ２ｍと監視信号光Ｓ１ｃの各伝送方向は反対である。
【００８７】
したがって、両方向伝送装置１は、光スイッチ１７の接続状態の切り替えにより主信号光Ｓ１ｍ，Ｓ２ｍに対する監視信号光Ｓ１ｃ，Ｓ２ｃの伝送方向を切り替えることができる。
【００８８】
図５は、第１実施例の両方向伝送装置１の光スイッチ１７の設定処理の一例を示すフローチャートである。本処理は、実施例の伝送方法である。
【００８９】
ＦＰＧＡ１０は、ネットワーク監視制御装置９からの要求に応じて、例えばメモリ１６から装置の識別情報を読み出し、ネットワーク監視制御装置９に送信する（ステップＳｔ１）。このとき、ネットワーク監視制御装置９は、両方向伝送装置１の接続先の順方向伝送装置２ａまたは逆方向伝送装置２ｂからも識別情報を取得する。
【００９０】
ネットワーク監視制御装置９は、識別情報から両方向伝送装置１の接続先の伝送装置が順方向伝送装置２ａ及び逆方向伝送装置２ｂの何れであるかを判断する。ネットワーク監視制御装置９は、接続先が順方向伝送装置２ａである場合、「順方向モード」の伝送設定の情報を両方向伝送装置１に送信し、接続先が逆方向伝送装置２ｂである場合、「逆方向モード」の伝送設定の情報を両方向伝送装置１に送信する。
【００９１】
次にＦＰＧＡ１０は、不図示の通信ポートを介して、ネットワーク監視制御装置９から伝送設定の情報を受信する（ステップＳｔ２）。ＦＰＧＡ１０は、伝送設定が「順方向モード」である場合（ステップＳｔ３のＹｅｓ）、切り替え信号により光スイッチ１７の接続状態をストレート状態に設定する（ステップＳｔ４）。また、ＦＰＧＡ１０は、伝送設定が「逆方向モード」である場合（ステップＳｔ３のＮｏ）、切り替え信号により光スイッチ１７の接続状態をクロス状態に設定する（ステップＳｔ５）。
【００９２】
次にＦＰＧＡ１０は、ＳＦＰ１５による監視信号光Ｓ１ｃ，Ｓ２ｃの送受信を開始する（ステップＳｔ６）。このようにして、両方向伝送装置１は光スイッチ１７の設定処理を実行する。
【００９３】
このように、両方向伝送装置１は、光スイッチ１７が接続状態をクロス状態に切り替えることにより逆方向伝送装置２ｂと主信号光Ｓ１ｍ，Ｓ２ｍ及び監視信号光Ｓ１ｃ，Ｓ２ｃを送受信することができる。
【００９４】
このため、両方向伝送装置１は、順方向伝送装置２ａ及び逆方向伝送装置２ｂの何れとも主信号光Ｓ１ｍ，Ｓ２ｍ及び監視信号光Ｓ１ｃ，Ｓ２ｃを互いに送受信することができる。つまり、両方向伝送装置１は、順方向伝送装置２ａ及び逆方向伝送装置２ｂに対して接続の互換性を備える。
【００９５】
したがって、両方向伝送装置１は、ネットワーク内における接続可能な伝送装置の組み合わせの制限を緩和することができる。
【００９６】
また、ＦＰＧＡ１０は、両方向伝送装置１と順方向伝送装置２ａまたは逆方向伝送装置２ｂの組み合わせに応じた設定情報を取得し、設定情報に基づきに基づき光スイッチ１７に接続状態の切り替えを指示する。このため、両方向伝送装置１は、接続先が順方向伝送装置２ａ及び逆方向伝送装置２ｂの何れかに応じて光スイッチ１７に接続状態を容易に切り替えることができる。なお、ＦＰＧＡ１０は指示部の一例である。
【００９７】
さらに、ＦＰＧＡ１０はネットワーク監視制御装置９から設定情報を取得するため、例えばユーザが手動で上記の設定情報を入力する場合より光スイッチ１７に接続状態の切り替えの処理の負荷が低減される。なお、ネットワーク監視制御装置９は監視制御装置の一例である。
【００９８】
（第２実施例）
第１実施例の両方向伝送装置１は、ネットワーク監視制御装置９からの伝送設定に従って光スイッチ１７の接続状態を設定したが、監視信号光Ｓ２ｃの受信状態を判定することにより、伝送設定を受信せずに光スイッチ１７の接続状態を設定してもよい。
【００９９】
図６は、第２実施例の両方向伝送装置１ａと順方向伝送装置２ａが接続された伝送システムの一例を示す構成図である。図６において、図１及び図３と共通する構成には同一の符号を付し、その説明は省略する。なお、両方向伝送装置１ａは第１伝送装置の一例である。
【０１００】
両方向伝送装置１ａは、第１実施例の両方向伝送装置１の構成に加えて、光スプリッタ１８ａ，１８ｂ及びＰＤ１９ａ，１９ｂを有する。光スプリッタ１８ｂは、光スイッチ１７のポート＃１とフィルタ１３の間に接続され、光スプリッタ１８ａは、光スイッチ１７のポート＃２とフィルタ１４の間に接続されている。また、ＰＤ１９ａ，１９ｂは光スプリッタ１８ａ，１８ｂにそれぞれ接続されている。
【０１０１】
また、両方向伝送装置１ａは、ＦＰＧＡ１０に代えてＦＰＧＡ１０ａを有する。ＦＰＧＡ１０ａは、ＰＤ１９ａ，１９ｂから入力される検出信号に応じて光スイッチ１７に切り替え信号を出力するが、他の機能はＦＰＧＡ１０と同一である。
【０１０２】
図６には、順方向伝送装置２ａと接続された場合の両方向伝送装置１ａの動作が示されている。順方向伝送装置２ａが送信した監視信号光Ｓ２ｃは、伝送路９０に伝送され、フィルタ１３から光スイッチ１７のポート＃１に入力される。
【０１０３】
符号Ｒ３ｂ’は監視信号光Ｓ２ｃの経路を示す。光スプリッタ１８ｂは、フィルタ１３から入力された監視信号光Ｓ２ｃを分波して光スイッチ１７及びＰＤ１９ｂに導く。
【０１０４】
ＰＤ１９ｂは、第２検出部の一例であり、伝送路９０から光スイッチ１７に入力される監視信号光Ｓ２ｃを検出する。ＰＤ１９ｂは、監視信号光Ｓ２ｃから電気的な検出信号をＦＰＧＡ１０ａに出力する。これにより、ＦＰＧＡ１０ａは、順方向伝送装置２ａから監視信号光Ｓ２ｃを受信したか否かを判定することができる。
【０１０５】
ＦＰＧＡ１０ａは、ＰＤ１９ｂから検出信号が入力された場合、光スイッチ１７の接続状態をストレート状態に設定する。これにより、監視信号光Ｓ２ｃは光スイッチ１７を経由して受信部１５１に入力されるため、両方向伝送装置１ａは順方向伝送装置２ａから監視信号光Ｓ２ｃを受信することができる。
【０１０６】
また、送信部１５０が送信した監視信号光Ｓ１ｃは、光スイッチ１７を経由してフィルタ１４に入力される。これにより、両方向伝送装置１ａは順方向伝送装置２ａに監視信号光Ｓ１ｃを送信することができる。
【０１０７】
また、両方向伝送装置１ａが逆方向伝送装置２ｂと接続された場合、監視信号光Ｓ２ｃはＰＤ１９ｂではなくＰＤ１９ａに入力される。ＦＰＧＡ１０ａは、ＰＤ１９ｂから検出信号が入力されず、ＰＤ１９ａから検出信号が入力された場合、光スイッチ１７の接続状態をクロス状態に設定する。
【０１０８】
図７は、第２実施例の両方向伝送装置１ａと逆方向伝送装置２ｂが接続された伝送システムの一例を示す構成図である。図７において、図４及び図６と共通する構成には同一の符号を付し、その説明は省略する。
【０１０９】
図７には、逆方向伝送装置２ｂと接続された場合の両方向伝送装置１ａの動作が示されている。逆方向伝送装置２ｂが送信した監視信号光Ｓ２ｃは、伝送路９１に伝送され、フィルタ１４から光スイッチ１７のポート＃２に入力される。
【０１１０】
符号Ｒ４ｃ’は監視信号光Ｓ２ｃの経路を示す。光スプリッタ１８ａは、フィルタ１４から入力された監視信号光Ｓ２ｃを分波して光スイッチ１７及びＰＤ１９ａに導く。
【０１１１】
ＰＤ１９ａは、第１検出部の一例であり、伝送路９１から光スイッチ１７に入力される監視信号光Ｓ２ｃを検出する。ＰＤ１９ａは、監視信号光Ｓ２ｃから電気的な検出信号をＦＰＧＡ１０ａに出力する。これにより、ＦＰＧＡ１０ａは、逆方向伝送装置２ｂから監視信号光Ｓ２ｃを受信したか否かを判定することができる。
【０１１２】
ＦＰＧＡ１０ａは、ＰＤ１９ｂから検出信号が入力されず、ＰＤ１９ａから検出信号が入力された場合、光スイッチ１７の接続状態をクロス状態に設定する。これにより、監視信号光Ｓ２ｃは光スイッチ１７を経由して受信部１５１に入力されるため、両方向伝送装置１ａは逆方向伝送装置２ｂから監視信号光Ｓ２ｃを受信することができる。
【０１１３】
また、送信部１５０が送信した監視信号光Ｓ１ｃは、光スイッチ１７を経由してフィルタ１３に入力される。これにより、両方向伝送装置１ａは逆方向伝送装置２ｂに監視信号光Ｓ１ｃを送信することができる。
【０１１４】
図８は、第２実施例の両方向伝送装置１ａの光スイッチ１７の設定処理の一例を示すフローチャートである。本処理は、実施例の伝送方法である。なお、本処理に先立って、両方向伝送装置１ａの接続先の順方向伝送装置２ａまたは逆方向伝送装置２ｂは監視信号光Ｓ２ｃの送信を開始する。
【０１１５】
ＦＰＧＡ１０ａは、ＰＤ１９ｂから入力される検出信号に基づいて、ＰＤ１９ｂが監視信号光Ｓ２ｃを検出したか否かを判定する（ステップＳｔ１１）。ＦＰＧＡ１０ａは、ＰＤ１９ｂが監視信号光Ｓ２ｃを検出した場合（ステップＳｔ１１のＹｅｓ）、両方向伝送装置１ａの接続先が順方向伝送装置２ａであると判断して、切り替え信号により光スイッチ１７の接続状態をストレート状態に設定する（ステップＳｔ１２）。次にＦＰＧＡ１０ａは、ＳＦＰ１５による監視信号光Ｓ１ｃ，Ｓ２ｃの送受信を開始する（ステップＳｔ１３）。
【０１１６】
また、ＦＰＧＡ１０ａは、ＰＤ１９ｂが監視信号光Ｓ２ｃを検出していない場合（ステップＳｔ１１のＮｏ）、ＰＤ１９ａから入力される検出信号に基づいて、ＰＤ１９ａが監視信号光Ｓ２ｃを検出したか否かを判定する（ステップＳｔ１４）。ＦＰＧＡ１０ａは、ＰＤ１９ａが監視信号光Ｓ２ｃを検出した場合（ステップＳｔ１４のＹｅｓ）、両方向伝送装置１ａの接続先が逆方向伝送装置２ｂであると判断して、切り替え信号により光スイッチ１７の接続状態をクロス状態に設定する（ステップＳｔ１５）。次にＦＰＧＡ１０ａは、ＳＦＰ１５による監視信号光Ｓ１ｃ，Ｓ２ｃの送受信を開始する（ステップＳｔ１３）。
【０１１７】
また、ＦＰＧＡ１０ａは、ＰＤ１９ａが監視信号光Ｓ２ｃを検出していない場合（ステップＳｔ１４のＮｏ）、両方向伝送装置１ａと順方向伝送装置２ａまたは逆方向伝送装置２ｂの接続が異常（例えば光ファイバの切断など）であると判断し、障害を検出する（ステップＳｔ１６）。このようにして、光スイッチ１７の設定処理は実行される。
【０１１８】
このように、ＦＰＧＡ１０ａは、ＰＤ１９ａ，ＰＤ１９ｂの検出結果に基づき光スイッチ１７に接続状態の切り替えを指示する。このため、ＦＰＧＡ１０ａは、第１実施例とは異なり、ネットワーク監視制御装置９からの伝送設定を受信せずに、自律的に光スイッチ１７の接続状態を両方向伝送装置１ａの接続先の装置の種類に応じて設定することができる。
【０１１９】
（第３実施例）
第１実施例の両方向伝送装置１及び第２実施例の両方向伝送装置１ａは、例えばＳＦＰ１５が故障した場合、接続先の順方向伝送装置２ａまたは逆方向伝送装置２ｂとの間で監視信号光Ｓ１ｃ，Ｓ２ｃの送受信の両方が不可能となるおそれがある。そこで、本例の両方向伝送装置１ｂは、２個のＳＦＰ１５ａ，１５ｂを冗長に備えることにより、一方のＳＦＰ１５ａ，１５ｂが故障した場合、他方の正常なＳＦＰ１５ａ，１５ｂにより監視信号光Ｓ１ｃの送信または監視信号光Ｓ２ｃの受信を可能とする。
【０１２０】
図９は、第３実施例の両方向伝送装置１ｂと順方向伝送装置２ａが接続された伝送システムの一例を示す構成図である。図９において、図６と共通する構成には同一の符号を付し、その説明は省略する。なお、両方向伝送装置１ｂは第１伝送装置の一例である。
【０１２１】
両方向伝送装置１ｂは、第２実施例の光スイッチ１７及びＳＦＰ１５に代えて、各２個の光スイッチ１７ａ，１７ｂ及びＳＦＰ１５ａ，１５ｂを有する。ＳＦＰ１５ａ，１５ｂは、ＳＦＰ１５と同様の構成を備えている。ＳＦＰ１５ａは、送信部１５０ａ及び受信部１５１ａを有する。ＳＦＰ１５ｂは、送信部１５０ｂ及び受信部１５１ｂを有する。
【０１２２】
送信部１５０ａ，１５０ｂは、それぞれ、監視信号光Ｓ１ｃを順方向伝送装置２ａに送信する。送信部１５０ａは第１送信部の一例であり、送信部１５０ｂは第２送信部の一例である。
【０１２３】
受信部１５１ａ，１５１ｂは、それぞれ、監視信号光Ｓ２ｃを順方向伝送装置２ａから受信する。受信部１５１ａは第１受信部の一例であり、受信部１５１ｂは第２受信部の一例である。
【０１２４】
光スイッチ１７ａ，１７ｂは、それぞれ、１×２のポート＃１〜＃３を有する。光スイッチ１７ａのポート＃１は光スプリッタ１８ａに接続され、光スイッチ１７ａのポート＃２は受信部１５１ａに接続され、光スイッチ１７ａのポート＃３は送信部１５０ａに接続されている。
【０１２５】
光スイッチ１７ｂのポート＃１は光スプリッタ１８ｂに接続され、光スイッチ１７ｂのポート＃２は受信部１５１ｂに接続され、光スイッチ１７ｂのポート＃３は送信部１５０ｂに接続されている。なお、光スイッチ１７ａは第１光スイッチの一例であり、光スイッチ１７ｂは第２光スイッチの一例である。
【０１２６】
光スイッチ１７ａは、ＦＰＧＡ１０ｂからの切り替え信号に従って、ポート＃１の接続先をポート＃２またはポート＃３に切り替える。光スイッチ１７ａのポート＃１及びポート＃２が互いに接続された場合、伝送路９１と受信部１５１ａは、フィルタ１４及び光スプリッタ１８ａを介して光学的に互いに接続される。
【０１２７】
また、光スイッチ１７ａのポート＃１及びポート＃３が互いに接続された場合、伝送路９１と送信部１５０ａは、フィルタ１４及び光スプリッタ１８ａを介して光学的に互いに接続される。このため、光スイッチ１７ａは、伝送路９１の接続先を受信部１５１ａまたは送信部１５０ａに切り替えることができる。
【０１２８】
光スイッチ１７ｂは、ＦＰＧＡ１０ｂからの切り替え信号に従って、ポート＃１の接続先をポート＃２またはポート＃３に切り替える。光スイッチ１７ｂのポート＃１及びポート＃２が互いに接続された場合、伝送路９０と受信部１５１ｂは、フィルタ１３及び光スプリッタ１８ｂを介して光学的に互いに接続される。
【０１２９】
また、光スイッチ１７ｂのポート＃１及びポート＃３が互いに接続された場合、伝送路９０と送信部１５０ｂは、フィルタ１３及び光スプリッタ１８ｂを介して光学的に互いに接続される。このため、光スイッチ１７ｂは、伝送路９０の接続先を受信部１５１ｂまたは送信部１５０ｂに切り替えることができる。
【０１３０】
また、両方向伝送装置１ｂは、ＦＰＧＡ１０に代えてＦＰＧＡ１０ｂを有する。ＦＰＧＡ１０ｂは、ＰＤ１９ａ，１９ｂからの検出信号に応じて光スイッチ１７ａ，１７ｂのポート＃１〜＃３間の接続状態を切り替え信号により切り替える。なお、ＦＰＧＡ１０ｂの他の機能はＦＰＧＡ１０と同様である。
【０１３１】
図９には、順方向伝送装置２ａと接続された場合の両方向伝送装置１ｂの動作が示されている。順方向伝送装置２ａが送信した監視信号光Ｓ２ｃは、伝送路９０に伝送され、フィルタ１３から光スイッチ１７ｂのポート＃１に入力される。
【０１３２】
符号Ｒ３ｅは監視信号光Ｓ２ｃの経路を示す。フィルタ１３は、監視信号光Ｓ２ｃを伝送路９０から光スイッチ１７ｂに導く。光スプリッタ１８ｂは、フィルタ１３から入力された監視信号光Ｓ２ｃを分波して光スイッチ１７ｂ及びＰＤ１９ｂに導く。
【０１３３】
ＦＰＧＡ１０ｂは、ＰＤ１９ｂから検出信号が入力された場合、切り替え信号により、光スイッチ１７ｂのポート＃１及びポート＃２を接続状態に設定する。これにより、伝送路９０と受信部１５１ｂが光学的に接続される。したがって、監視信号光Ｓ２ｃは、光スイッチ１７ｂのポート＃１，＃２を経由して受信部１５１ｂに入力されるため、両方向伝送装置１ｂは順方向伝送装置２ａから監視信号光Ｓ２ｃを受信することができる。
【０１３４】
また、ＦＰＧＡ１０ｂは、ＰＤ１９ｂから検出信号が入力された場合、切り替え信号により、光スイッチ１７ａのポート＃１及びポート＃３を接続状態に設定する。これにより、伝送路９１と送信部１５０ａが光学的に接続される。したがって、送信部１５０ａが送信した監視信号光Ｓ１ｃは、光スイッチ１７ａのポート＃３，＃１を経由してフィルタ１４に入力される。
【０１３５】
符号Ｒ３ｆは監視信号光Ｓ１ｃの経路を示す。フィルタ１４は、光スイッチ１７ａから入力された監視信号光Ｓ１ｃを伝送路９１に導く。これにより、両方向伝送装置１ｂは順方向伝送装置２ａに監視信号光Ｓ１ｃを送信することができる。
【０１３６】
このように、両方向伝送装置１ｂは、光スイッチ１７ａが伝送路９１の接続先を送信部１５０ａに切り替え、光スイッチ１７ｂが伝送路９０の接続先を受信部１５１ｂに切り替えることにより順方向伝送装置２ａと主信号光Ｓ１ｍ，Ｓ２ｍ及び監視信号光Ｓ１ｃ，Ｓ２ｃを送受信することができる。このとき、伝送路９１における主信号光Ｓ１ｍと監視信号光Ｓ１ｃの伝送方向は同一であり、伝送路９０における主信号光Ｓ２ｍと監視信号光Ｓ２ｃの伝送方向は同一である。
【０１３７】
また、両方向伝送装置１ｂが逆方向伝送装置２ｂと接続された場合、監視信号光Ｓ２ｃはＰＤ１９ｂではなくＰＤ１９ａに入力される。ＦＰＧＡ１０ｂは、ＰＤ１９ｂから検出信号が入力されず、ＰＤ１９ａから検出信号が入力された場合、光スイッチ１７ａのポート＃１，＃２を接続状態に設定し、光スイッチ１７ｂのポート＃１，＃３を接続状態に設定する。
【０１３８】
図１０は、第３実施例の両方向伝送装置１ｂと逆方向伝送装置２ｂが接続された伝送システムの一例を示す構成図である。図１０において、図９と共通する構成には同一の符号を付し、その説明は省略する。
【０１３９】
図１０には、逆方向伝送装置２ｂと接続された場合の両方向伝送装置１ｂの動作が示されている。送信部１５０ａ，１５０ｂは、それぞれ、監視信号光Ｓ１ｃを逆方向伝送装置２ｂに送信する。受信部１５１ａ，１５１ｂは、それぞれ、監視信号光Ｓ２ｃを逆方向伝送装置２ｂから受信する。
【０１４０】
符号Ｒ４ｆは監視信号光Ｓ２ｃの経路を示す。逆方向伝送装置２ｂが送信した監視信号光Ｓ２ｃは、伝送路９１からフィルタ１４に入力される。フィルタ１４は、監視信号光Ｓ２ｃを伝送路９１から光スプリッタ１８ａに導く。光スプリッタ１８ａは、フィルタ１４から入力された監視信号光Ｓ２ｃを分波して光スイッチ１７ａ及びＰＤ１９ａに導く。
【０１４１】
ＦＰＧＡ１０ｂは、ＰＤ１９ａから検出信号が入力された場合、切り替え信号により、光スイッチ１７ａのポート＃１及びポート＃２を接続状態に設定する。これにより、伝送路９１と受信部１５１ａが光学的に接続される。したがって、監視信号光Ｓ２ｃは、光スイッチ１７ａのポート＃１，＃２を経由して受信部１５１ａに入力されるため、両方向伝送装置１ｂは逆方向伝送装置２ｂから監視信号光Ｓ２ｃを受信することができる。
【０１４２】
また、ＦＰＧＡ１０ｂは、ＰＤ１９ａから検出信号が入力された場合、切り替え信号により、光スイッチ１７ｂのポート＃１及びポート＃３を接続状態に設定する。これにより、伝送路９０と送信部１５０ｂが光学的に接続される。したがって、送信部１５０ｂが送信した監視信号光Ｓ１ｃは、光スイッチ１７ｂのポート＃３，＃１を経由してフィルタ１３に入力される。
【０１４３】
符号Ｒ４ｅは監視信号光Ｓ１ｃの経路を示す。フィルタ１３は、光スイッチ１７ｂから入力された監視信号光Ｓ１ｃを伝送路９０に導く。これにより、両方向伝送装置１ｂは逆方向伝送装置２ｂに監視信号光Ｓ１ｃを送信することができる。
【０１４４】
このように、両方向伝送装置１ｂは、光スイッチ１７ａが伝送路９１の接続先を受信部１５１ａに切り替え、光スイッチ１７ｂが伝送路９０の接続先を送信部１５０ｂに切り替えることにより逆方向伝送装置２ｂと主信号光Ｓ１ｍ，Ｓ２ｍ及び監視信号光Ｓ１ｃ，Ｓ２ｃを送受信することができる。このとき、伝送路９１における主信号光Ｓ１ｍと監視信号光Ｓ２ｃの各伝送方向は反対であり、伝送路９０における主信号光Ｓ２ｍと監視信号光Ｓ１ｃの各伝送方向は反対である。
【０１４５】
したがって、両方向伝送装置１は、光スイッチ１７ａ，１７ｂの切り替えにより主信号光Ｓ１ｍ，Ｓ２ｍに対する監視信号光Ｓ１ｃ，Ｓ２ｃの伝送方向を切り替えることができる。
【０１４６】
これにより、両方向伝送装置１ｂは、順方向伝送装置２ａ及び逆方向伝送装置２ｂの何れとも主信号光Ｓ１ｍ，Ｓ２ｍ及び監視信号光Ｓ１ｃ，Ｓ２ｃを互いに送受信することができる。つまり、両方向伝送装置１ｂは、順方向伝送装置２ａ及び逆方向伝送装置２ｂに対して接続の互換性を備える。
【０１４７】
したがって、両方向伝送装置１ｂは、ネットワーク内における接続可能な伝送装置の組み合わせの制限を緩和することができる。
【０１４８】
図１１は、第３実施例の両方向伝送装置１ｂの光スイッチ１７ａ，１７ｂの設定処理の一例を示すフローチャートである。図１１において、図８と共通する処理には同一の符号を付し、その説明は省略する。
【０１４９】
本処理は、実施例の伝送方法である。なお、本処理に先立って、両方向伝送装置１ａの接続先の順方向伝送装置２ａまたは逆方向伝送装置２ｂは監視信号光Ｓ２ｃの送信を開始する。
【０１５０】
ＦＰＧＡ１０ｂは、ＰＤ１９ｂが監視信号光Ｓ２ｃを検出した場合（ステップＳｔ１１のＹｅｓ）、両方向伝送装置１ａの接続先が順方向伝送装置２ａであると判断して、光スイッチ１７ａのポート＃１，＃３を接続状態に設定し（ステップＳｔ１２ａ）、光スイッチ１７ｂのポート＃１，＃２を接続状態に設定する（ステップＳｔ１２ｂ）。なお、ステップＳｔ１２ｂは、ステップＳｔ１２ａより先に実行されてもよい。その後、ステップＳｔ１３が実行される。
【０１５１】
また、ＦＰＧＡ１０ｂは、ＰＤ１９ａが監視信号光Ｓ２ｃを検出した場合（ステップＳｔ１４のＹｅｓ）、両方向伝送装置１ａの接続先が逆方向伝送装置２ｂであると判断して、光スイッチ１７ａのポート＃１，＃２を接続状態に設定し（ステップＳｔ１５ａ）、光スイッチ１７ｂのポート＃１，＃３を接続状態に設定する（ステップＳｔ１５ｂ）。なお、ステップＳｔ１５ｂは、ステップＳｔ１５ａより先に実行されてもよい。その後、ステップＳｔ１３が実行される。このようにして、光スイッチ１７ａ，１７ｂの設定処理は実行される。
【０１５２】
このように、ＦＰＧＡ１０ｂは、ＰＤ１９ａ，ＰＤ１９ｂの検出結果に基づき光スイッチ１７ａ，１７ｂに接続状態の切り替えを指示する。このため、ＦＰＧＡ１０ｂは、第２実施例と同様に、ネットワーク監視制御装置９からの伝送設定を受信せずに、自律的に光スイッチ１７の接続状態を両方向伝送装置１ｂの接続先の装置の種類に応じて設定することができる。なお、ＦＰＧＡ１０ｂは、第１実施例と同様に、ネットワーク監視制御装置９からの伝送設定を受信し、伝送設定に応じて光スイッチ１７ａ，１７ｂに接続状態の切り替えを指示してもよい。
【０１５３】
（第４実施例）
第１〜第３実施例において、主信号光Ｓ１ｍ，Ｓ２ｍの波長帯と監視信号光Ｓ１ｃ，Ｓ２ｃの波長帯は相違するが、主信号光Ｓ１ｍ，Ｓ２ｍの波長帯と監視信号光Ｓ１ｃ，Ｓ２ｃの伝送方向が互いに反対である場合、各波長帯は同一としてもよい。監視信号光Ｓ１ｃ，Ｓ２ｃの波長帯と主信号光Ｓ１ｍ，Ｓ２ｍの波長帯が同一である場合、使用可能な波長帯のリソースに空きが生ずるため、空いた波長帯を主信号光Ｓ１ｍ，Ｓ２ｍまたはラマン励起光源に割り当てることが可能となる。
【０１５４】
なお、以下の例において、順方向伝送装置２ａの送信部２５０はＳバンドの監視信号光Ｓ２ｃを送信し、順方向伝送装置２ａの受信部２５１はＳバンドの監視信号光Ｓ１ｃを受信する。また、逆方向伝送装置２ｂの送信部２５０はＣバンドの監視信号光Ｓ２ｃを送信し、逆方向伝送装置２ｂの受信部２５１はＣバンドの監視信号光Ｓ１ｃを受信する。
【０１５５】
図１２は、第４実施例の両方向伝送装置１ｃと順方向伝送装置２ａが接続された伝送システムの一例を示す構成図である。図１２において、図３と共通する構成には同一の符号を付し、その説明は省略する。なお、両方向伝送装置１ｃは第１伝送装置の一例である。
【０１５６】
符号Ｒ５ｄは主信号光Ｓ１ｍの経路を示す。両方向伝送装置１ｃは、伝送路９１を介して例えばＣバンド（１５５０（ｎｍ）帯）の主信号光Ｓ１ｍを順方向伝送装置２ａに送信する。順方向伝送装置２ａは主信号光Ｓ１ｍを受信する。
【０１５７】
符号Ｒ５ａは主信号光Ｓ２ｍの経路を示す。順方向伝送装置２ａは、伝送路９０を介して例えばＣバンドの主信号光Ｓ２ｍを両方向伝送装置１ｃに送信する。両方向伝送装置１ｃは主信号光Ｓ２ｍを受信する。なお、Ｃバンドは第１波長帯の一例である。
【０１５８】
両方向伝送装置１ｃは、フィルタ１４に代えて導波部３ａを有し、フィルタ１３に代えて導波部３ｂを有する。導波部３ａは、第１導波部の一例であり、伝送路９１と光スイッチ１７の間に接続される。
【０１５９】
導波部３ａは、互いに光学的に接続されたフィルタ３１ａ，３２ａ及びサーキュレータ３０ａを有する。フィルタ３１ａは伝送路９１と光学的に接続され、フィルタ３２ａは光スイッチ１７のポート＃２と光学的に接続され、サーキュレータ３０ａは光アンプ１２と光学的に接続されている。
【０１６０】
導波部３ｂは、第２導波部の一例であり、伝送路９０と光スイッチ１７の間に接続される。導波部３ｂは、互いに光学的に接続されたフィルタ３１ｂ，３２ｂ及びサーキュレータ３０ｂを有する。フィルタ３１ｂは伝送路９０と光学的に接続され、フィルタ３２ｂは光スイッチ１７のポート＃１と光学的に接続され、サーキュレータ３０ｂは光アンプ１１と光学的に接続されている。
【０１６１】
また、両方向伝送装置１ｃは、ＳＦＰ１５に代えて、例えばＳバンド（１５１０（ｎｍ）帯）の監視信号光Ｓ１ｃ，Ｓ２ｃを送受信するＳＦＰ１５ｓを有する。ＳＦＰ１５ｓは、ＳＦＰ１５と同様の機能を有し、両方向伝送装置１ｃに対して着脱自在であり、送信部１５０ｓ及び受信部１５１ｓを有する。
【０１６２】
送信部１５０ｓは、Ｓバンドの監視信号光Ｓ１ｃを送信し、受信部１５１ｓは、Ｓバンドの監視信号光Ｓ２ｃを受信する。送信部１５０ｓは、光スイッチ１７のポート＃４と光学的に接続され、受信部１５１ｓは、光スイッチ１７のポート＃３と光学的に接続されている。なお、Ｓバンドは第２波長帯の一例である。
【０１６３】
図１２には、順方向伝送装置２ａと接続された場合の両方向伝送装置１ｃの動作が示されている。ＦＰＧＡ１０は、接続先が順方向伝送装置２ａであるため、上述したように光スイッチ１７の接続状態をストレート状態に設定する。
【０１６４】
符号Ｒ５ｃは監視信号光Ｓ１ｃの経路を示す。監視信号光Ｓ１ｃは送信部１５０ｓから光スイッチ１７のポート＃４，＃２を経由してフィルタ３２ａに入力される。フィルタ３２ａは監視信号光Ｓ１ｃをフィルタ３１ａに導き、フィルタ３１ａは監視信号光Ｓ１ｃを伝送路９１に導く。
【０１６５】
これにより、両方向伝送装置１ｃは監視信号光Ｓ１ｃを順方向伝送装置２ａに送信する。なお、フィルタ３１ａ，３２ａとしては、例えば波長多重分離機能を備える光フィルタが挙げられるが、これに限定されない。
【０１６６】
また、サーキュレータ３０ａは、主信号光Ｓ１ｍをフィルタ３１ａに導く。このとき、主信号光Ｓ１ｍはサーキュレータ３０ａからフィルタ３２ａには入力されない。フィルタ３２ａは主信号光Ｓ１ｍを伝送路９１に導く。これにより、両方向伝送装置１ｃは主信号光Ｓ１ｍを順方向伝送装置２ａに送信する。
【０１６７】
符号Ｒ５ｂは監視信号光Ｓ２ｃの経路を示す。順方向伝送装置２ａが送信した監視信号光Ｓ２ｃは、伝送路９０からフィルタ３１ｂに入力される。フィルタ３１ｂは監視信号光Ｓ２ｃをフィルタ３２ｂに導き、フィルタ３２ｂは監視信号光Ｓ２ｃを光スイッチ１７に導く。監視信号光Ｓ２ｃは、光スイッチ１７のポート＃１，＃３を経由して受信部１５１ｓに入力される。
【０１６８】
これにより、両方向伝送装置１ｃは順方向伝送装置２ａから監視信号光Ｓ２ｃを受信する。なお、フィルタ３１ｂ，３２ｂとしては、例えば波長多重分離機能を備える光フィルタが挙げられるが、これに限定されない。
【０１６９】
また、フィルタ３１ｂは、順方向伝送装置２ａが送信した主信号光Ｓ２ｍを伝送路９０からサーキュレータ３０ｂに導く。サーキュレータ３０ｂは、主信号光Ｓ２ｍを光アンプ１１に導く。このとき、主信号光Ｓ２ｍはサーキュレータ３０ｂからフィルタ３２ｂには入力されない。これにより、両方向伝送装置１ｃは順方向伝送装置２ａから主信号光Ｓ２ｍを受信する。
【０１７０】
次に逆方向伝送装置２ｂと両方向伝送装置１ｃが接続された伝送システムについて説明する。
【０１７１】
図１３は、第４実施例の両方向伝送装置１ｃと逆方向伝送装置２ｂが接続された伝送システムの一例を示す構成図である。図１３において、図１２と共通する構成には同一の符号を付し、その説明は省略する。
【０１７２】
符号Ｒ６ｄは主信号光Ｓ１ｍの経路を示す。両方向伝送装置１ｃは、伝送路９１を介して例えばＣバンドの主信号光Ｓ１ｍを逆方向伝送装置２ｂに送信する。逆方向伝送装置２ｂは主信号光Ｓ１ｍを受信する。
【０１７３】
符号Ｒ６ａは主信号光Ｓ２ｍの経路を示す。逆方向伝送装置２ｂは、伝送路９０を介して例えばＣバンドの主信号光Ｓ２ｍを両方向伝送装置１ｃに送信する。両方向伝送装置１ｃは主信号光Ｓ２ｍを受信する。
【０１７４】
また、両方向伝送装置１ｃは、ＳＦＰ１５ｓに代えて、例えばＣバンドの監視信号光Ｓ１ｃ，Ｓ２ｃを送受信するＳＦＰ１５ｃを有する。ＳＦＰ１５ｃは、ＳＦＰ１５と同様の機能を有し、両方向伝送装置１ｃに対して着脱自在であり、送信部１５０ｃ及び受信部１５１ｃを有する。
【０１７５】
送信部１５０ｃは、Ｃバンドの監視信号光Ｓ１ｃを送信し、受信部１５１ｃは、Ｃバンドの監視信号光Ｓ２ｃを受信する。送信部１５０ｃは、光スイッチ１７のポート＃４と光学的に接続され、受信部１５１ｃは、光スイッチ１７のポート＃３と光学的に接続されている。
【０１７６】
図１３には、逆方向伝送装置２ｂと接続された場合の両方向伝送装置１ｃの動作が示されている。ＦＰＧＡ１０は、接続先が逆方向伝送装置２ｂであるため、上述したように光スイッチ１７の接続状態をクロス状態に設定する。
【０１７７】
符号Ｒ６ｂは監視信号光Ｓ１ｃの経路を示す。監視信号光Ｓ１ｃは送信部１５０ｃから光スイッチ１７のポート＃４，＃１を経由してフィルタ３２ｂに入力される。フィルタ３２ｂは監視信号光Ｓ１ｃをフィルタ３１ｂに導き、フィルタ３１ｂは監視信号光Ｓ１ｃを伝送路９０に導く。これにより、両方向伝送装置１ｃは監視信号光Ｓ１ｃを逆方向伝送装置２ｂに送信する。
【０１７８】
符号Ｒ６ｃは監視信号光Ｓ２ｃの経路を示す。逆方向伝送装置２ｂが送信したＣバンドの監視信号光Ｓ２ｃは、伝送路９１からフィルタ３１ａに入力される。フィルタ３１ａは監視信号光Ｓ２ｃをフィルタ３２ａに導き、フィルタ３２ａは監視信号光Ｓ２ｃを光スイッチ１７に導く。監視信号光Ｓ２ｃは、光スイッチ１７のポート＃２，＃３を経由して受信部１５１ｃに入力される。これにより、両方向伝送装置１ｃは逆方向伝送装置２ｂから監視信号光Ｓ２ｃを受信する。
【０１７９】
このように、導波部３ａは、光スイッチ１７から入力されたＳバンドの監視信号光Ｓ１ｃを伝送路９１に導き、Ｃバンドの監視信号光Ｓ２ｃを伝送路９１から光スイッチ１７に導く。また、導波部３ｂは、光スイッチ１７から入力されたＣバンドの監視信号光Ｓ１ｃを伝送路９０に導き、Ｓバンドの監視信号光Ｓ２ｃを伝送路９０光スイッチ１７に導く。
【０１８０】
両方向伝送装置１ｃは、ＳＦＰ１５ｓ，１５ｃが着脱自在であるため、接続先が順方向伝送装置２ａである場合、Ｓバンドの監視信号光Ｓ１ｃを送受信するＳＦＰ１５ｓを用い、接続先が逆方向伝送装置２ｂである場合、Ｃバンドの監視信号光Ｓ１ｃを送受信するＳＦＰ１５ｃを用いることができる。
【０１８１】
また、光スイッチ１７は接続状態をストレート状態またはクロス状態に切り替える。両方向伝送装置１ｃは、上記のように、光スイッチ１７の接続状態の切り替えにより、順方向伝送装置２ａとＳバンドの監視信号光Ｓ１ｃ，Ｓ２ｃを送受信することができ、逆方向伝送装置２ｂとＣバンドの監視信号光Ｓ１ｃ，Ｓ２ｃを送受信することができる。
【０１８２】
したがって、両方向伝送装置１ｃは、ネットワーク内における接続可能な伝送装置の組み合わせの制限を緩和することができる。また、両方向伝送装置１ｃは、接続先が逆方向伝送装置２ｂである場合、Ｓバンドを監視信号光Ｓ１ｃ，Ｓ２ｃに用いないため、未使用のＳバンドを主信号光Ｓ１ｍ，Ｓ２ｍまたはラマン励起光源に割り当てることが可能である。
【０１８３】
（第５実施例）
第４実施例では、両方向伝送装置１ｃの接続先が順方向伝送装置２ａである場合、Ｓバンドに対応するＳＦＰ１５ｓが両方向伝送装置１ｃに用いられ、両方向伝送装置１ｃの接続先が逆方向伝送装置２ｂである場合、Ｃバンドに対応するＳＦＰ１５ｃが用いられる。このため、接続先装置の種類に応じて２種類のＳＦＰ１５ｓ，１５ｃを付け替える手間が生ずる。
【０１８４】
そこで、本例の両方向伝送装置１ｄは、２種類のＳＦＰ１５ｓ，１５ｃを備えることにより、ＳＦＰ１５ｓ，１５ｃを付け替える手間を省く。
【０１８５】
図１４は、第５実施例の両方向伝送装置１ｄと順方向伝送装置２ａが接続された伝送システムの一例を示す構成図である。図１４において、図１２及び図１３と共通する構成には同一の符号を付し、その説明は省略する。なお、両方向伝送装置１ｄは第１伝送装置の一例である。
【０１８６】
符号Ｒ７ｄは主信号光Ｓ１ｍの経路を示す。両方向伝送装置１ｄは、伝送路９１を介して例えばＣバンドの主信号光Ｓ１ｍを順方向伝送装置２ａに送信する。順方向伝送装置２ａは主信号光Ｓ１ｍを受信する。
【０１８７】
符号Ｒ７ａは主信号光Ｓ２ｍの経路を示す。順方向伝送装置２ａは、伝送路９０を介して例えばＣバンドの主信号光Ｓ２ｍを両方向伝送装置１ｄに送信する。両方向伝送装置１ｄは主信号光Ｓ２ｍを受信する。
【０１８８】
両方向伝送装置１ｄは、導波部３ａに代えて導波部４ａを有し、導波部３ｂに代えて導波部４ｂを有する。導波部４ａは、第３導波部の一例であり、互いに光学的に接続されたフィルタ４１ａ及びサーキュレータ４０ａを有する。フィルタ４１ａは伝送路９１及び送信部１５０ｓに光学的に接続され、サーキュレータ４０ａは受信部１５１ｃ及び光アンプ１２に光学的に接続されている。
【０１８９】
導波部４ｂは、第４導波部の一例であり、互いに光学的に接続されたフィルタ４１ｂ及びサーキュレータ４０ｂを有する。フィルタ４１ｂは伝送路９０及び受信部１５１ｓに光学的に接続され、サーキュレータ４０ｂは送信部１５０ｃ及び光アンプ１１に光学的に接続されている。
【０１９０】
また、両方向伝送装置１ｄはＳＦＰ１５ｓ，１５ｃを有する。ＳＦＰ１５ｓは送信部１５０ｓ及び受信部１５１ｓを有し、ＳＦＰ１５ｃは送信部１５０ｃ及び受信部１５１ｃを有する。
【０１９１】
送信部１５０ｓは、第３送信部の一例であり、Ｓバンドの監視信号光Ｓ１ｃを送信する。受信部１５１ｓは、第３受信部の一例であり、Ｓバンドの監視信号光Ｓ２ｃを受信する。
【０１９２】
送信部１５０ｃは、第４送信部の一例であり、Ｃバンドの監視信号光Ｓ１ｃを送信する。受信部１５１ｃは、第４受信部の一例であり、Ｃバンドの監視信号光Ｓ２ｃを受信する。
【０１９３】
両方向伝送装置１ｄは、光スイッチ１７を有していない。このため、導波部４ａ，４ｂが、伝送路９０，９１とＳＦＰ１５ｓ，１５ｃの間の監視信号光Ｓ１ｃ，Ｓ２ｃの経路を監視信号光Ｓ１ｃ，Ｓ２ｃの波長帯に応じて切り替える。
【０１９４】
図１４には、順方向伝送装置２ａと接続された場合の両方向伝送装置１ｄの動作が示されている。両方向伝送装置１ｄは、ＦＰＧＡ１０に代えてＦＰＧＡ１０ｄを有する。ＦＰＧＡ１０ｄは、ＳＦＰ１５ｓ，１５ｃから監視信号光Ｓ１ｃ，Ｓ２ｃの送受信器を選択するが、他の機能はＦＰＧＡ１０と同一である。ＦＰＧＡ１０ｄは、ネットワーク監視制御装置９から「順方向モード」の伝送設定を受信した場合、Ｓバンド対応のＳＦＰ１５ｓを選択する。
【０１９５】
符号Ｒ７ｃは監視信号光Ｓ１ｃの経路を示す。監視信号光Ｓ１ｃは送信部１５０ｓからフィルタ４１ａに入力される。フィルタ４１ａは監視信号光Ｓ１ｃを伝送路９１に導く。
【０１９６】
これにより、両方向伝送装置１ｄは監視信号光Ｓ１ｃを順方向伝送装置２ａに送信する。なお、フィルタ４１ａとしては、例えば波長多重分離機能を備える光フィルタが挙げられるが、これに限定されない。
【０１９７】
また、サーキュレータ４０ａは、主信号光Ｓ１ｍをフィルタ４１ａに導く。このとき、主信号光Ｓ１ｍはサーキュレータ４０ａから受信部１５１ｃには入力されない。フィルタ４１ａは主信号光Ｓ１ｍを伝送路９１に導く。これにより、両方向伝送装置１ｄは主信号光Ｓ１ｍを順方向伝送装置２ａに送信する。
【０１９８】
符号Ｒ７ｂは監視信号光Ｓ２ｃの経路を示す。順方向伝送装置２ａが送信したＳバンドの監視信号光Ｓ２ｃは、伝送路９０からフィルタ４１ｂに入力される。フィルタ４１ｂは監視信号光Ｓ２ｃを受信部１５１ｓに導く。
【０１９９】
これにより、両方向伝送装置１ｄは順方向伝送装置２ａから監視信号光Ｓ２ｃを受信する。なお、フィルタ４１ｂとしては、例えば波長多重分離機能を備える光フィルタが挙げられるが、これに限定されない。
【０２００】
また、フィルタ４１ｂは、順方向伝送装置２ａが送信した主信号光Ｓ２ｍを伝送路９０からサーキュレータ４０ｂに導く。サーキュレータ４０ｂは、主信号光Ｓ２ｍを光アンプ１１に導く。このとき、主信号光Ｓ２ｍはサーキュレータ４０ｂから送信部１５０ｃには入力されない。これにより、両方向伝送装置１ｄは順方向伝送装置２ａから主信号光Ｓ２ｍを受信する。
【０２０１】
次に逆方向伝送装置２ｂと両方向伝送装置１ｄが接続された伝送システムについて説明する。
【０２０２】
図１５は、第５実施例の両方向伝送装置１ｃと逆方向伝送装置２ｂが接続された伝送システムの一例を示す構成図である。図１５において、図１４と共通する構成には同一の符号を付し、その説明は省略する。
【０２０３】
符号Ｒ８ｄは主信号光Ｓ１ｍの経路を示す。両方向伝送装置１ｄは、伝送路９１を介して例えばＣバンドの主信号光Ｓ１ｍを逆方向伝送装置２ｂに送信する。逆方向伝送装置２ｂは主信号光Ｓ１ｍを受信する。
【０２０４】
符号Ｒ８ａは主信号光Ｓ２ｍの経路を示す。逆方向伝送装置２ｂは、伝送路９０を介して例えばＣバンドの主信号光Ｓ２ｍを両方向伝送装置１ｃに送信する。両方向伝送装置１ｃは主信号光Ｓ２ｍを受信する。
【０２０５】
図１５には、逆方向伝送装置２ｂと接続された場合の両方向伝送装置１ｄの動作が示されている。ＦＰＧＡ１０ｄは、ネットワーク監視制御装置９から「逆方向モード」の伝送設定を受信した場合、Ｃバンド対応のＳＦＰ１５ｃを選択する。
【０２０６】
符号Ｒ８ｂは監視信号光Ｓ１ｃの経路を示す。監視信号光Ｓ１ｃは送信部１５０ｃからサーキュレータ４０ｂに入力される。サーキュレータ４０ｂは監視信号光Ｓ１ｃをフィルタ４１ｂに導き、フィルタ４１ｂは監視信号光Ｓ１ｃを伝送路９０に導く。これにより、両方向伝送装置１ｃは監視信号光Ｓ１ｃを逆方向伝送装置２ｂに送信する。
【０２０７】
符号Ｒ８ｃは監視信号光Ｓ２ｃの経路を示す。逆方向伝送装置２ｂが送信したＣバンドの監視信号光Ｓ２ｃは、伝送路９１からフィルタ４１ａに入力される。フィルタ４１ａは監視信号光Ｓ２ｃをサーキュレータ４０ａに導き、サーキュレータ４０ａは監視信号光Ｓ２ｃを受信部１５１ｃに導く。これにより、両方向伝送装置１ｄは逆方向伝送装置２ｂから監視信号光Ｓ２ｃを受信する。
【０２０８】
このように、導波部４ａは、送信部１５０ｓから入力された監視信号光Ｓ１ｃを伝送路９１に導き、監視信号光Ｓ２ｃを伝送路９１から受信部１５１ｃに導く。また、導波部４ｂは、送信部１５０ｃから入力された監視信号光Ｓ１ｃを伝送路９０に導き、監視信号光Ｓ２ｃを伝送路９０から受信部１５１ｓに導く。
【０２０９】
したがって、両方向伝送装置１ｄは、送信部１５０ｓ及び受信部１５１ｓにより順方向伝送装置２ａとＳバンドの監視信号光Ｓ１ｃ，Ｓ２ｃを送受信し、送信部１５０ｃ及び受信部１５１ｃにより逆方向伝送装置２ｂとＣバンドの監視信号光Ｓ１ｃ，Ｓ２ｃを送受信することができる。
【０２１０】
よって、両方向伝送装置１ｄは、ネットワーク内における接続可能な伝送装置の組み合わせの制限を緩和することができる。また、両方向伝送装置１ｄは、接続先が逆方向伝送装置２ｂである場合、Ｓバンドを監視信号光Ｓ１ｃ，Ｓ２ｃに用いないため、未使用のＳバンドを主信号光Ｓ１ｍ，Ｓ２ｍまたはラマン励起光源に割り当てることが可能である。
【０２１１】
図１６は、第５実施例の両方向伝送装置１ｄのＳＦＰ１５ｓ，１５ｃの選択処理の一例を示すフローチャートである。
【０２１２】
ＦＰＧＡ１０ｄは、ネットワーク監視制御装置９からの要求に応じて、例えばメモリ１６から装置の識別情報を読み出し、ネットワーク監視制御装置９に送信する（ステップＳｔ３１）。このとき、ネットワーク監視制御装置９は、両方向伝送装置１ｄの接続先の順方向伝送装置２ａまたは逆方向伝送装置２ｂからも識別情報を取得する。
【０２１３】
ネットワーク監視制御装置９は、識別情報から両方向伝送装置１ｄの接続先の伝送装置が順方向伝送装置２ａ及び逆方向伝送装置２ｂの何れであるかを判断する。ネットワーク監視制御装置９は、接続先が順方向伝送装置２ａである場合、「順方向モード」の伝送設定の情報を両方向伝送装置１ｄに送信し、接続先が逆方向伝送装置２ｂである場合、「逆方向モード」の伝送設定の情報を両方向伝送装置１ｄに送信する。
【０２１４】
次にＦＰＧＡ１０ｄは、不図示の通信ポートを介して、ネットワーク監視制御装置９から伝送設定の情報を受信する（ステップＳｔ３２）。ＦＰＧＡ１０ｄは、伝送設定が「順方向モード」である場合（ステップＳｔ３３のＹｅｓ）、監視信号光Ｓ１ｃ，Ｓ２ｃを送受信する送受信器としてＳＦＰ１５ｓを選択する（ステップＳｔ３４）。また、ＦＰＧＡ１０ｄは、伝送設定が「逆方向モード」である場合（ステップＳｔ３３のＮｏ）、監視信号光Ｓ１ｃ，Ｓ２ｃを送受信する送受信器としてＳＦＰ１５ｃを選択する（ステップＳｔ３６）。
【０２１５】
次にＦＰＧＡ１０ｄは、選択済みのＳＦＰ１５ｓ，１５ｃによる監視信号光Ｓ１ｃ，Ｓ２ｃの送受信を開始する（ステップＳｔ３５）。このようにして、両方向伝送装置１はＳＦＰ１５ｓ，１５ｃの選択処理を実行する。
【０２１６】
なお、両方向伝送装置１ｄは、第２実施例のようにＰＤ１９ａ，１９ｂにより監視信号光Ｓ１ｃの受信の有無を判定し、判定結果に応じてＳＦＰ１５ｓ，１５ｃを選択してもよい。また、上記の各実施例において、ＦＰＧＡ１０，１０ａ，１０ｂ，１０ｄに代えて、ＡＳＩＣなどの他の回路が設けられてもよい。
【０２１７】
上述した実施形態は本発明の好適な実施の例である。但し、これに限定されるものではなく、本発明の要旨を逸脱しない範囲内において種々変形して実施可能である。
【０２１８】
なお、以上の説明に関して更に以下の付記を開示する。
（付記１）  他の伝送装置に第１伝送路を介し第１主信号光を送信し、前記他の伝送装置から第２伝送路を介し第２主信号光を受信する伝送装置において、
前記伝送装置の監視制御に関する第１監視信号光を前記他の伝送装置に送信する送信部と、
前記他の伝送装置の監視制御に関する第２監視信号光を前記他の伝送装置から受信する受信部と、
前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替える光スイッチとを有することを特徴とする伝送装置。
（付記２）  前記伝送装置及び前記他の伝送装置の組み合わせに応じた設定情報を取得し、前記設定情報に基づき前記光スイッチに接続状態の切り替えを指示する指示部を有することを特徴とする付記１に記載の伝送装置。
（付記３）  前記指示部は、前記伝送装置及び前記他の伝送装置を監視制御する監視制御装置から前記設定情報を取得することを特徴とする付記２に記載の伝送装置。
（付記４）  前記第１伝送路から前記光スイッチに入力される前記第２監視信号光を検出する第１検出部と、
前記第２伝送路から前記光スイッチに入力される前記第２監視信号光を検出する第２検出部と、
前記第１検出部及び前記第２検出部の検出結果に基づき前記光スイッチに接続状態の切り替えを指示する指示部とを有することを特徴とする付記１に記載の伝送装置。
（付記５）  前記第１伝送路と前記光スイッチの間に接続される第１導波部と、
前記第２伝送路と前記光スイッチの間に接続される第２導波部とを、さらに有し、前記送信部及び前記受信部は、前記伝送装置に対して着脱自在であり、前記第１主信号光及び前記第２主信号光は、第１波長帯の帯域をそれぞれ有し、前記第１導波部は、前記光スイッチから入力された第２波長帯の前記第１監視信号光を前記第１伝送路に導き、前記第１波長帯の前記第２監視信号光を前記第１伝送路から前記光スイッチに導き、前記第２導波部は、前記光スイッチから入力された前記第１波長帯の前記第１監視信号光を前記第２伝送路に導き、前記第２波長帯の前記第２監視信号光を前記第２伝送路から前記光スイッチに導くことを特徴とする付記１または４に記載の伝送装置。
（付記６）  他の伝送装置に第１伝送路を介し第１主信号光を送信し、前記他の伝送装置から第２伝送路を介し第２主信号光を受信する伝送装置において、
前記伝送装置の監視制御に関する第１監視信号光を前記他の伝送装置にそれぞれ送信する第１送信部及び第２送信部と、
前記他の伝送装置の監視制御に関する第２監視信号光を前記他の伝送装置からそれぞれ受信する第１受信部及び第２受信部と、
前記第１伝送路の接続先を前記第１送信部または前記第１受信部に切り替える第１光スイッチと、
前記第２伝送路の接続先を前記第２送信部または前記第２受信部に切り替える第２光スイッチとを有することを特徴とする伝送装置。
（付記７）  前記第１伝送路から前記第１光スイッチに入力される前記第２監視信号光を検出する第１検出部と、
前記第２伝送路から前記第２光スイッチに入力される前記第２監視信号光を検出する第２検出部と、
前記第１検出部及び前記第２検出部の検出結果に基づき、前記第１光スイッチに前記第１伝送路の接続先を指示し、前記第２光スイッチに前記第２伝送路の接続先を指示する指示部とを有することを特徴とする付記６に記載の伝送装置。
（付記８）  他の伝送装置に第１伝送路を介し第１波長帯の第１主信号光を送信し、前記他の伝送装置から第２伝送路を介し前記第１波長帯の第２主信号光を受信する伝送装置において、
前記伝送装置の監視制御に関する第２波長帯の第１監視信号光を送信する第３送信部と、
前記第１波長帯の前記第１監視信号光を送信する第４送信部と、
前記他の伝送装置の監視制御に関する前記第２波長帯の第２監視信号光を受信する第３受信部と、
前記第１波長帯の前記第２監視信号光を受信する第４受信部と、
前記第３送信部から入力された前記第１監視信号光を前記第１伝送路に導き、前記第２監視信号光を前記第１伝送路から前記第４受信部に導く第３導波部と、
前記第４送信部から入力された前記第１監視信号光を前記第２伝送路に導き、前記第２監視信号光を前記第２伝送路から前記第３受信部に導く第４導波部とを有することを特徴とする伝送装置。
（付記９）  第１伝送装置が、第１伝送路を介し第２伝送装置に第１主信号光を送信し、前記第２伝送装置から第２伝送路を介し第２主信号光を受信する伝送方法において、
前記第１伝送装置の送信部が、前記第１伝送装置の監視制御に関する第１監視信号光を前記第２伝送装置に送信し、
前記第１伝送装置の受信部が、前記第２伝送装置の監視制御に関する第２監視信号光を前記第２伝送装置から受信し、
前記第１伝送装置の光スイッチが、前記送信部及び前記受信部と前記第１伝送路及び前記第２伝送路の間の接続状態を、前記送信部が前記第１伝送路に接続され、前記受信部が前記第２伝送路に接続された第１接続状態、または前記送信部が前記第２伝送路に接続され、前記受信部が前記第１伝送路に接続された第２接続状態に切り替えることを特徴とする伝送方法。
（付記１０）  前記第１伝送装置は、
前記第１伝送路から前記光スイッチに入力される前記第２監視信号光を検出し、
前記第２伝送路から前記光スイッチに入力される前記第２監視信号光を検出し、
前記第１監視信号光及び前記第２監視信号光の検出結果に基づき前記光スイッチに接続状態の切り替えを指示することを特徴とする付記９に記載の伝送方法。
（付記１１）  前記送信部及び前記受信部は、前記第１伝送装置に対して着脱自在であり、
前記第１主信号光及び前記第２主信号光は、第１波長帯の帯域をそれぞれ有し、
前記第１伝送装置
前記光スイッチから入力された第２波長帯の前記第１監視信号光を前記第１伝送路に導き、前記第１波長帯の前記第２監視信号光を前記第１伝送路から前記光スイッチに導き、
前記光スイッチから入力された前記第１波長帯の前記第１監視信号光を前記第２伝送路に導き、前記第２波長帯の前記第２監視信号光を前記第２伝送路から前記光スイッチに導くことを特徴とする付記９または１０に記載の伝送方法。
（付記１２）  第１伝送装置が、第１伝送路を介し第２伝送装置に第１主信号光を送信し、前記第２伝送装置から第２伝送路を介し第２主信号光を受信する伝送方法において、
前記第１伝送装置の第１送信部及び第２送信部が、前記第１伝送装置の監視制御に関する第１監視信号光を前記第２伝送装置にそれぞれ送信し、
前記第１伝送装置の第１受信部及び第２受信部が、前記第２伝送装置の監視制御に関する第２監視信号光を前記第２伝送装置からそれぞれ受信し、
前記第１伝送装置の第１光スイッチが、前記第１伝送路の接続先を前記第１送信部または前記第１受信部に切り替え、
前記第１伝送装置の第２光スイッチが、前記第２伝送路の接続先を前記第２送信部または前記第２受信部に切り替えることを特徴とする伝送方法。
（付記１３）  前記第１伝送装置は、
前記第１伝送路から前記第１光スイッチに入力される前記第２監視信号光を検出し、
前記第２伝送路から前記第２光スイッチに入力される前記第２監視信号光を検出し、
前記第１監視信号光及び前記第２監視信号光の検出結果に基づき、前記第１光スイッチに前記第１伝送路の接続先を指示し、前記第２光スイッチに前記第２伝送路の接続先を指示することを特徴とする付記１２に記載の伝送方法。
（付記１４）    第１伝送装置から第１伝送路を介し第２伝送装置に第１波長帯の第１主信号光を送信し、前記第２伝送装置から第２伝送路を介し前記第１伝送装置に前記第１波長帯の第２主信号光を受信する伝送方法において、
前記第１伝送装置の第３送信部が、前記第１伝送装置の監視制御に関する第２波長帯の第１監視信号光を送信し、
前記第１伝送装置の第４送信部が、前記第１波長帯の前記第１監視信号光を送信し、
前記第１伝送装置の第３受信部が、前記第２伝送装置の監視制御に関する前記第２波長帯の第２監視信号光を受信し、
前記第１伝送装置の第４受信部が、前記第１波長帯の前記第２監視信号光を受信し、
前記第１伝送装置の第３導波部が、前記第３送信部から入力された前記第１監視信号光を前記第１伝送路に導き、前記第２監視信号光を前記第１伝送路から前記第４受信部に導き、
前記第１伝送装置の第４導波部が、前記第４送信部から入力された前記第１監視信号光を前記第２伝送路に導き、前記第２監視信号光を前記第２伝送路から前記第３受信部に導くことを特徴とする伝送方法。
【符号の説明】
【０２１９】
１，１ａ〜１ｄ     両方向伝送装置
２ａ，２ａ’      順方向伝送装置
２ｂ，２ｂ’      逆方向伝送装置
３ａ，３ｂ，４ａ，４ｂ    導波部
１０，１０ａ，１０ｂ，１０ｄ    ＦＰＧＡ
１３，１４      フィルタ
１７，１７ａ，１７ｂ     光スイッチ
１９ａ，１９ｂ     ＰＤ
９０，９１      伝送路
１５０，１５０ａ，１５０ｂ，１５０ｃ，１５０ｓ 送信部
１５１，１５１ａ，１５１ｂ，１５１ｃ，１５１ｓ 受信部
【図１】
2020195052.tif 000003
【図２】
2020195052.tif 000004
【図３】
2020195052.tif 000005
【図４】
2020195052.tif 000006
【図５】
2020195052.tif 000007
【図６】
2020195052.tif 000008
【図７】
2020195052.tif 000009
【図８】
2020195052.tif 000010
【図９】
2020195052.tif 000011
【図１０】
2020195052.tif 000012
【図１１】
2020195052.tif 000013
【図１２】
2020195052.tif 000014
【図１３】
2020195052.tif 000015
【図１４】
2020195052.tif 000016
【図１５】
2020195052.tif 000017
【図１６】
2020195052.tif 000018